(57)【要約】【課題】端子の接点部が電食することを抑制できるコネクタを提供する。【解決手段】第１コネクタ３１は、有底筒状の本体部４４を有する第１ハウジング４０と、相手側端子に接触することにより同相手側端子に電気的に接続される第１接点部８５を有する第１端子８０と、相手側端子に接触することにより同相手側端子に電気的に接続される第１接点部９５を有する第１端子９０とを備えている。第１端子８０，９０は、本体部４４の内部に第１接点部８５，９５が露出した状態で第１ハウジング４０に保持されている。第１ハウジング４０は、第１ハウジング４０が車体２１に固定された状態で、第１接点部８５，９５よりも鉛直方向Ｄ１に下側となる位置に本体部４４の内外を連通する排出孔としての挿通孔７６，７７を有する。【選択図】図５
2020135939.tif 000002
【特許請求の範囲】
【請求項１】
有底筒状の本体部を有するハウジングと、
相手側端子に接触することにより電気的に接続される接点部を有し前記本体部の内部に前記接点部が露出した状態で前記ハウジングに保持された端子と、を備え、
前記ハウジングは、前記ハウジングが固定場所に固定された状態で、前記接点部よりも鉛直方向に下側となる位置に前記本体部の内外を連通する排出孔を有するコネクタ。
【請求項２】
前記ハウジングは、前記本体部の内部に、前記ハウジングが前記固定場所に固定された状態で前記排出孔よりも鉛直方向の上側に位置し鉛直方向と直交する仮想平面に対して傾斜した傾斜面を有する請求項１に記載のコネクタ。
【請求項３】
前記排出孔は、前記本体部の底部に位置する請求項１又は請求項２に記載のコネクタ。
【請求項４】
前記本体部は、前記本体部の内外を連通し前記端子及び前記端子に接続される電線の少なくとも一方が挿通される挿通孔を有し、
前記挿通孔の内周面は、前記挿通孔の内側に位置する前記端子及び前記端子に接続される電線の少なくとも一方との間に隙間を有し、
前記挿通孔は、前記排出孔を兼ねている請求項１から請求項３の何れか１項に記載のコネクタ。
【請求項５】
前記端子は、前記端子と前記相手側端子との接続方向に貫通する貫通路を有する中空状のものであり、前記貫通路は、前記排出孔に連通されている請求項１から請求項４の何れか１項に記載のコネクタ。
【請求項６】
有底筒状の本体部を有する第１ハウジングと、接点部を有し前記本体部の内部に前記接点部が露出した状態で前記第１ハウジングに保持された第１端子とを有する第１コネクタと、
前記接点部と接触することにより前記第１端子と電気的に接続される第２端子と、前記第２端子を保持する第２ハウジングとを有し前記第１コネクタに対して着脱可能に接続される第２コネクタと、
を備え、
前記第１ハウジングは、前記第１ハウジングが固定場所に固定された状態で、前記接点部よりも鉛直方向に下側となる位置に前記本体部の内外を連通する排出孔を有するコネクタ装置。
【発明の詳細な説明】
【技術分野】
【０００１】
本発明は、コネクタ及びコネクタ装置に関する。
【背景技術】
【０００２】
従来、電線と電線とを接続するコネクタ装置には、一方の電線の端部に設けられた第１コネクタと他方の電線の端部に設けられた第２コネクタとを嵌合して接続した状態において、水等の液体がコネクタ装置の内部に浸入することを抑制する防水構造を備えたものがある。例えば特許文献１に記載されたコネクタ装置においては、第１コネクタは、一方の電線と電気的に接続された第１端子と、第１端子を保持するハウジングとを有する。第２コネクタは、他方の電線と電気的に接続された第２端子と、第２端子を保持する第２ハウジングとを有する。第１端子と第２端子とを嵌合しつつ、第１ハウジングに第２ハウジングを嵌合することにより、第１コネクタと第２コネクタとが接続される。そして、第１ハウジングと第２ハウジングとの嵌合部分に防水構造が設けられることにより、当該嵌合部分からコネクタ装置の内部に液体が浸入することが抑制される。
【先行技術文献】
【特許文献】
【０００３】
【特許文献１】特開２０１２−１２８９６６号公報
【発明の概要】
【発明が解決しようとする課題】
【０００４】
上記のような防水構造を備えた従来のコネクタ装置は、第１コネクタと第２コネクタとが一旦接続された後には、第１コネクタと第２コネクタとが互いに接続されていない未接続状態になることは想定されておらず、第１コネクタと第２コネクタとが互いに接続された接続状態においてコネクタ装置の内部に液体が浸入することを抑制するものである。
【０００５】
ところで、近年、電動バイク、電気自転車等の電動車両には、車体に対して着脱可能なバッテリを搭載したものがある。バッテリは、例えば、車体に設けられた第１コネクタに、当該バッテリに設けられた第２コネクタを接続することにより、車体側に電気的に接続される。バッテリは、使用者によって交換や充電等のために車体から取り外されることが頻繁にあるため、コネクタ装置は、防水構造を備えた従来のコネクタ装置とは異なり、第１コネクタと第２コネクタとが互いに接続されていない未接続状態になることが頻繁にある。このようなコネクタ装置では、未接続状態のときに、車体側の第１コネクタに雨水等の液体がかかることがある。未接続状態の第１コネクタが被水して第１コネクタ内に水が溜まった状態になると、第１コネクタが備える第１端子が電食する虞がある。第１端子において、第２端子に接触して当該第２端子と電気的に接続される部分である接点部が電食すると、第１端子と第２端子との間の接触抵抗が大きくなるために、第１端子と第２端子とを嵌合させ難くなる。そのため、第１コネクタにかかった水等の液体によって第１端子の接点部が電食することをどのように抑制するかという課題が出てきた。
【０００６】
本発明は、上記課題を解決するためになされたものであって、その目的は、端子の接点部が電食することを抑制できるコネクタ及びコネクタ装置を提供することにある。
【課題を解決するための手段】
【０００７】
上記課題を解決するコネクタは、有底筒状の本体部を有するハウジングと、相手側端子に接触することにより電気的に接続される接点部を有し前記本体部の内部に前記接点部が露出した状態で前記ハウジングに保持された端子と、を備え、前記ハウジングは、前記ハウジングが固定場所に固定された状態で、前記接点部よりも鉛直方向に下側となる位置に前記本体部の内外を連通する排出孔を有する。
【０００８】
上記態様によれば、コネクタに水等の液体がかかり本体部の内側に液体が溜まったとしても、排出孔から液体が本体部の外部に排出されることにより、接点部が液体に浸った状態となることが抑制される。従って、接点部が電食することを抑制することができる。
【０００９】
前記ハウジングは、前記本体部の内部に、前記ハウジングが前記固定場所に固定された状態で前記排出孔よりも鉛直方向の上側に位置し鉛直方向と直交する仮想平面に対して傾斜した傾斜面を有することが好ましい。
【００１０】
上記態様によれば、本体部の内部に水等の液体がかかった場合、傾斜面によって液体が鉛直方向の下方に案内される。そして、案内された液体は、傾斜面よりも鉛直方向の下方に位置する排出孔から本体部の外部に排出されることが可能である。従って、本体部の内部に浸入した水等の液体を、排出孔から本体部の外部により排出しやすくなる。その結果、接点部が電食することをより抑制しやすくなる。
【００１１】
前記排出孔は、前記本体部の底部に位置することが好ましい。
上記態様によれば、本体部の開口部が底部よりも鉛直方向の上方に位置するようにハウジングが固定場所に固定された場合、本体部の内側に浸入した水等の液体は、底部の方へ流れる。従って、本体部の内側に浸入した水等の液体を、排出孔から本体部の外部に更に排出しやすくなる。その結果、接点部が電食することを更に抑制しやすくなる。
【００１２】
前記本体部は、前記本体部の内外を連通し前記端子及び前記端子に接続される電線の少なくとも一方が挿通される挿通孔を有し、前記挿通孔の内周面は、前記挿通孔の内側に位置する前記端子及び前記端子に接続される電線の少なくとも一方との間に隙間を有し、前記挿通孔は、前記排出孔を兼ねていることが好ましい。
【００１３】
上記態様によれば、挿通孔が排出孔を兼ねるため、専用の排出孔を別途設けなくてもよい。従って、ハウジングの形状が複雑化されることを抑制できる。その結果、ハウジングの製造が煩雑になることを抑制できる。
【００１４】
前記端子は、前記端子と前記相手側端子との接続方向に貫通する貫通路を有する中空状のものであり、前記貫通路は、前記排出孔に連通されていることが好ましい。
上記態様によれば、端子に水等の液体がかかった場合、当該液体は貫通路を通って端子の外部に排出されるため、端子の内側に水等の液体が溜まることが抑制される。従って、簡単な構成で端子の内側に水等の液体が溜まることを抑制できる。その結果、端子が電食することを容易に抑制できる。更に、貫通路は排出孔と連通されているため、貫通路を通って端子の外部に排出された液体は、排出孔から本体部の外部に排出可能である。
【００１５】
上記課題を解決するコネクタ装置は、有底筒状の本体部を有する第１ハウジングと、接点部を有し前記本体部の内部に前記接点部が露出した状態で前記第１ハウジングに保持された第１端子とを有する第１コネクタと、前記接点部と接触することにより前記第１端子と電気的に接続される第２端子と、前記第２端子を保持する第２ハウジングとを有し前記第１コネクタに対して着脱可能に接続される第２コネクタと、を備え、前記第１ハウジングは、前記第１ハウジングが固定場所に固定された状態で、前記接点部よりも鉛直方向に下側となる位置に前記本体部の内外を連通する排出孔を有する。
【００１６】
上記態様によれば、第１端子に第２端子が接続されていない状態、即ち第１コネクタと第２コネクタとが接続されていない未接続状態にある場合において、第１コネクタに水等の液体がかかり本体部の内側に液体が溜まったとしても、排出孔から液体が本体部の外部に排出されることにより、接点部が液体に浸った状態となることが抑制される。従って、接点部が電食することを抑制することができる。
【発明の効果】
【００１７】
本発明のコネクタ及びコネクタ装置によれば、端子の接点部が電食することを抑制できる。
【図面の簡単な説明】
【００１８】
【図１】（ａ）は第１実施形態におけるコネクタ装置の断面図、（ｂ）及び（ｃ）は同コネクタ装置の部分拡大断面図。
【図２】第１実施形態における第１コネクタの分解斜視図。
【図３】第１実施形態における第２コネクタの分解斜視図。
【図４】（ａ）は第１実施形態におけるコネクタ装置の断面図、（ｂ）及び（ｃ）は同コネクタ装置の部分拡大断面図。
【図５】第１実施形態における第１コネクタの断面図。
【図６】第２実施形態におけるコネクタ装置の断面図。
【図７】第２実施形態における第１コネクタの断面図。
【図８】第２実施形態における第１コネクタの斜視図。
【図９】第３実施形態におけるコネクタ装置の断面図。
【図１０】第３実施形態における第１コネクタの断面図。
【図１１】第３実施形態における第１コネクタの斜視図。
【図１２】第４実施形態におけるコネクタ装置の断面図。
【図１３】第４実施形態における第１コネクタのインナハウジング、第１端子及びバックリテーナの分解斜視図。
【図１４】第４実施形態における第１コネクタの断面図。
【発明を実施するための形態】
【００１９】
＜第１実施形態＞
以下、コネクタを備えたコネクタ装置の第１実施形態について説明する。
図１（ａ）に示す本実施形態のコネクタ装置３０は、例えば電動バイク、電気自転車等の電動車両に備えられ、車体２１側とバッテリ２２とを電気的に接続するものである。コネクタ装置３０は、車体２１に固定される第１コネクタ３１と、バッテリ２２のケース２３に固定される第２コネクタ３２とを備えている。なお、本実施形態では、車体２１が「固定場所」に該当する。
【００２０】
図１（ａ）及び図２に示すように、第１コネクタ３１は、第１ハウジング４０と、２つの第１端子８０，９０とを有する。
第１ハウジング４０は、アウタハウジング４１と、アウタハウジング４１の内側に配置されるインナハウジング４２と、アウタハウジング４１及びインナハウジング４２と組み付けられるバックリテーナ４３とを有する。アウタハウジング４１、インナハウジング４２及びバックリテーナ４３は、絶縁性の樹脂材料よりなる。
【００２１】
アウタハウジング４１は、円筒状の保持部５１と、保持部５１の外周面から鍔状に延出された固定部５２とを有する。
固定部５２は、保持部５１と同軸の円環状をなすとともに、周方向に離れた複数箇所（本実施形態では９０°間隔となる４箇所）に固定孔５３を有する。各固定孔５３は、保持部５１の軸方向に固定部５２を貫通するとともに、各固定孔５３の内周面には、円筒状をなす金属製のカラー５４が装着されている。第１コネクタ３１は、アウタハウジング４１が固定部５２において車体２１に固定されることにより、車体２１に対して固定される。具体的には、車体２１における第１コネクタ３１を固定する場所には、装着孔２１ａが設けられている。そして、車体２１における装着孔２１ａの外周部分に車体２１の外側から固定部５２が重ね合わされるとともに、各固定孔５３、即ち各カラー５４に挿通された図示しないボルト及びナットによって車体２１における装着孔２１ａの外周部分と固定部５２とが固定されることにより、第１コネクタ３１は車体２１に固定される。
【００２２】
第１コネクタ３１は、車体２１における第１コネクタ３１が固定される場所の形状に応じて任意の向きで配置することが可能であるが、本実施形態では、車体２１に固定された第１コネクタ３１においては、車体２１が水平に配置された場合に、鉛直方向Ｄ１と、保持部５１の軸方向とが一致する。また、同場合において、第１コネクタ３１に対して第２コネクタ３２を接続する接続方向Ｄ２は、保持部５１の軸方向の一方向であって、鉛直方向Ｄ１の下向きと同方向である。そして、以下では、鉛直方向Ｄ１を上下方向とし、第１コネクタ３１に対して第２コネクタ３２が配置される側を上方とする。
【００２３】
図１（ａ）及び図１（ｂ）に示すように、保持部５１の外周面には、固定部５２よりも保持部５１の下端部寄りとなる位置に、複数（本実施形態では３つ）の固定凸部５５が設けられている。保持部５１の外周面において、３つの固定凸部５５は、周方向に９０°間隔となる３箇所に位置する。各固定凸部５５は、保持部５１の外周面から径方向外側に突出するとともに、保持部５１の径方向から見た形状が四角形状をなしている。また、各固定凸部５５の上面は、保持部５１の軸方向と直交する平面状をなす係止面５５ａである。また、各固定凸部５５の先端面である案内面５５ｂは、同案内面５５ｂの下端から上端に向かうにつれて保持部５１の外周面から径方向外側に遠ざかるように傾斜している。なお、案内面５５ｂの下端は、固定凸部５５の基端の近傍に位置する。
【００２４】
図１（ａ）及び図２に示すように、保持部５１は、内側に第１端子８０を保持している。第１端子８０は、導電性の金属材料よりなる。本実施形態では、第１端子８０は陰極の雌端子であるとともに、銅または銅合金の板材にプレス加工を施して形成されている。第１端子８０は、略円環状をなす環状部８１と、環状部８１の軸方向の一端部（図１（ａ）及び図２において上側の端部）から延出された複数の延出部８２と、環状部８１の軸方向の他端部（図１（ａ）及び図２において下側の端部）から延出された１つの接続部８３とを有する。第１端子８０は、略円筒状をなすことにより、その内側に、同第１端子８０を軸方向に貫通する貫通路８４を有する。第１端子８０は、貫通路８４を有することにより中空状をなしている。
【００２５】
環状部８１は、軸方向から見て周方向の１箇所が切断されたＣ字形状をなしている。環状部８１の外径は、保持部５１の内径と等しいか僅かに小さい。
複数（本実施形態では８個）の延出部８２は、環状部８１から上方に延びるとともに、隣り合う延出部８２同士は環状部８１の周方向に隙間が生じるように形成されている。各延出部８２の先端部には、第１接点部８５が設けられている。各延出部８２において、第１接点部８５は、延出部８２の先端部から径方向内側に突出している。また、各第１接点部８５は、環状部８１の周方向に沿った突条をなしている。複数の第１接点部８５は、環状部８１の軸方向における位置が等しい。
【００２６】
図５に示すように、第１端子８０は、保持部５１と同軸となるように保持部５１に内挿されている。環状部８１は、保持部５１の内部において、保持部５１の基端部（即ち、保持部５１の軸方向の下端部）と保持部５１の径方向に重なる位置に位置する。また、接続部８３は、保持部５１の基端から下方に突出している。なお、保持部５１の先端部（即ち、保持部５１の軸方向の上端部）には、抜止め凸部５６が設けられている。抜止め凸部５６は、保持部５１の先端部から同保持部５１の径方向内側に突出しており、円環状をなしている。第１端子８０は、同第１端子８０の上端面、即ち各延出部８２の先端面が、保持部５１の軸方向から（本実施形態では下方から）抜止め凸部５６に当接することにより、保持部５１に対して軸方向の一方側（本実施形態では上側）への位置決めがなされる。このように、第１端子８０は、保持部５１の内部に第１接点部８５が露出した状態でアウタハウジング４１に保持されている。そして、車体２１が水平に配置された状態において、複数の第１接点部８５は、鉛直方向Ｄ１の位置が等しい。
【００２７】
図１（ａ）に示すように、接続部８３の下端部（先端部）には、電線８６が電気的に接続されている。電線８６は、銅または銅合金よりなる撚線８７を絶縁性の被覆膜８８にて被覆したものである。電線８６における第１端子８０と接続される端部は、被覆膜８８が除去されて撚線８７が露出している。そして、電線８６の当該端部は、接続部８３の下端部にかしめられることで接続部８３の下端部に電気的に接続されている。また、接続部８３と電線８６との接続部分は、絶縁性の収縮チューブ８９にて被覆されている。収縮チューブ８９は、電線８６における第１端子８０側の端部の被覆膜８８が除去された部分（即ち、撚線８７が露出した部分）を完全に覆っている。そして、収縮チューブ８９の上端は、電線８６における第１端子８０側の端より接続部８３の基端側（上端側）に位置し、収縮チューブ８９の下端部は、電線８６の被覆膜８８における第１端子８０側の端部と重なる位置に位置する。収縮チューブ８９は、接続部８３及び電線８６に液密に密着している。
【００２８】
図１（ａ）及び図２に示すように、インナハウジング４２は、アウタハウジング４１の保持部５１の内側に配置されている。インナハウジング４２は、円筒状の保持部６１と、保持部５１の外周面から鍔状に延出された支持部６２とを有する。
【００２９】
保持部６１は、アウタハウジング４１の保持部５１の内径より小さい外径を有するとともに、保持部５１と同軸となるように配置されている。保持部６１の軸方向の長さは、保持部５１の軸方向の長さと略等しい。また、保持部５１，６１の軸方向における保持部６１の先端の位置は、保持部５１，６１の軸方向における保持部５１の先端の位置と略等しい。
【００３０】
支持部６２は、保持部６１の下端部に一体に設けられており、円環状の板状をなしている。支持部６２の外径は保持部５１の内径より小さい。支持部６２の外周面は、保持部５１の下端部と径方向に重なる。支持部６２の外周面と保持部５１の下端部との間には、第１端子８０の環状部８１が位置している。支持部６２の外周面と環状部８１の内周面との間には、僅かな隙間が形成されている。
【００３１】
支持部６２の下面には、当該下面から下方に突出した離間凸部６３が設けられている。離間凸部６３は、支持部６２の下面において、保持部６１より外周側となる位置に位置するとともに、保持部６１の周方向に沿った環状をなしている。離間凸部６３の先端面は、保持部６１の軸方向と直交する平面状をなしている。
【００３２】
保持部６１は、内側に第１端子９０を保持している。第１端子９０は、導電性の金属材料よりなる。本実施形態では、第１端子９０は陽極の雌端子であるとともに、銅または銅合金よりなる板材にプレス加工を施して形成されている。第１端子９０は、略円環状をなす環状部９１と、環状部９１の軸方向の一端部（図１（ａ）及び図２において上側の端部）から延出された複数の延出部９２と、環状部９１の軸方向の他端部（図１（ａ）及び図２において下側の端部）から延出された１つの接続部９３とを有する。第１端子９０は、略円筒状をなすことにより、その内側に同第１端子９０を軸方向に貫通する貫通路９４を有する。第１端子９０は、貫通路９４を有することにより中空状をなしている。
【００３３】
環状部９１は、軸方向から見て周方向の１箇所が切断されたＣ字形状をなしている。環状部９１の外径は、保持部６１の内径と等しいか僅かに小さい。
複数（本実施形態では８個）の延出部９２は、環状部９１から上方に延びるとともに、隣り合う延出部９２同士は環状部９１の周方向に隙間が生じるように形成されている。各延出部９２の先端部には、第１接点部９５が設けられている。各延出部９２において、第１接点部９５は、延出部９２の先端部から径方向内側に突出している。また、各第１接点部９５は、環状部９１の周方向に沿った突条をなしている。複数の第１接点部９５は、環状部９１の軸方向における位置が等しい。
【００３４】
接続部９３には、複数の係止部９６が形成されている。本実施形態では、第１端子９０は、３つの係止部９６を有する。各係止部９６は、接続部９３から環状部９１の軸方向と直交する方向と平行に延びる棒状をなしている。各係止部９６の先端は、環状部９１より外周側に位置する。また、各係止部９６における環状部９１の軸方向の幅は、離間凸部６３における保持部６１の軸方向の幅と等しいか若干広い。
【００３５】
図５に示すように、第１端子９０は、保持部６１と同軸となるように保持部６１に内挿されるとともに、第１端子８０と同軸に配置されている。環状部９１は、保持部６１の内部において、保持部６１の基端部（即ち、保持部６１の軸方向の下端部）と保持部６１の径方向に重なる位置に位置する。接続部９３は、保持部６１の基端から下方に突出している。複数の係止部９６は、離間凸部６３の内側に位置する。このように、第１端子９０は、保持部６１に内挿されることにより同保持部６１の内部に第１接点部９５が露出した状態でインナハウジング４２に保持されている。そして、車体２１が水平に配置された状態において、複数の第１接点部９５は、鉛直方向Ｄ１の位置が等しい。
【００３６】
保持部６１の先端部（即ち、保持部６１の軸方向の上端部）には、抜止め凸部６４が設けられている。抜止め凸部６４は、保持部６１の先端部から同保持部６１の径方向内側に突出しており、円環状をなしている。第１端子９０は、同第１端子９０の上端面、即ち各延出部９２の先端面が、保持部６１の軸方向から（本実施形態では下方から）抜止め凸部６４に当接することにより、保持部６１に対して軸方向の一方側（本実施形態では上側）への位置決めがなされる。
【００３７】
なお、第１コネクタ３１が車体２１に固定されるとともに車体２１が水平に配置された状態において、アウタハウジング４１の保持部５１の先端面の鉛直方向Ｄ１の位置と、インナハウジング４２の保持部６１の先端面の鉛直方向Ｄ１の位置とは等しい。即ち、保持部５１の先端面と保持部６１の先端面とは、鉛直方向Ｄ１と直交する同一平面内に位置する。また、同状態において、第１端子８０の各延出部８２の先端の鉛直方向Ｄ１の位置と、第１端子９０の各延出部９２の先端の鉛直方向Ｄ１の位置とは略等しい。更に、同状態において、第１端子８０の第１接点部８５の鉛直方向Ｄ１の位置と、第１端子９０の第１接点部９５の鉛直方向Ｄ１の位置とは略等しい。
【００３８】
図１（ａ）に示すように、接続部９３の下端部（先端部）には、電線９７が電気的に接続されている。電線９７は、第１端子８０に接続された電線８６と同様に、銅または銅合金よりなる撚線８７を絶縁性の被覆膜８８にて被覆したものである。電線９７における第１端子９０と接続される端部は、被覆膜８８が除去されて撚線８７が露出している。そして、電線９７の当該端部は、接続部９３の下端部にかしめられることで接続部９３の下端部に電気的に接続されている。また、接続部９３と電線９７との接続部分は、絶縁性の収縮チューブ９８にて被覆されている。収縮チューブ９８は、電線９７における第１端子９０側の端部の被覆膜８８が除去された部分（即ち、撚線８７が露出した部分）を完全に覆っている。そして、収縮チューブ９８の上端は、電線９７における第１端子９０側の端より接続部９３の基端側（上端側）に位置し、収縮チューブ９８の下端部は、電線９７の被覆膜８８における第１端子９０側の端部と重なる位置に位置する。収縮チューブ９８は、接続部９３及び電線９７に液密に密着している。
【００３９】
図５に示すように、インナハウジング４２は、支持部６２の上面に、鉛直方向Ｄ１と直交する仮想平面Ｓ１に対して傾斜した傾斜面６５を有する。傾斜面６５は、外周側ほど下方に位置するように、即ち径方向内側の端よりも径方向外側の端が下方に位置するように傾斜している。また、傾斜面６５は、支持部６２の上面全体に亘って形成されており、円環状をなしている。この傾斜面６５は、アウタハウジング４１の保持部５１の内側に位置する。また、傾斜面６５は、第１ハウジング４０が車体２１に固定されるとともに車体２１が水平に配置された状態において、第１接点部８５，９５よりも鉛直方向Ｄ１の下側に位置する。
【００４０】
図１（ａ）及び図２に示すように、インナハウジング４２は、離間凸部６３の先端面から突出した複数（本実施形態では２つ）の固定爪６６を有する。２つの固定爪６６は、離間凸部６３の先端面において１８０°間隔となる２箇所から保持部６１の軸方向に沿って下方に突出しており、保持部６１よりも外周側に位置する。また、各固定爪６６の外形は、保持部６１の軸方向から見て四角形状をなしている。各固定爪６６は、その先端部に係止凸部６６ａを有する。係止凸部６６ａは、各固定爪６６の先端部において、保持部６１の径方向外側に突出している。各固定爪６６は、その基端に対して先端が保持部６１の径方向にずれるように弾性変形可能である。
【００４１】
バックリテーナ４３は、アウタハウジング４１及びインナハウジング４２の下端部に固定されている。バックリテーナ４３は、略円形の皿状をなしている。バックリテーナ４３は、略円板状をなす底部７１と、底部７１の外周縁から上方に立設された略円筒状の側壁部７２とを有する。底部７１の外径は、アウタハウジング４１の保持部５１の外径より大きい。また、側壁部７２の内径は、保持部５１の外径と等しいか僅かに大きい。
【００４２】
図１（ｂ）及び図２に示すように、側壁部７２には、周方向に９０°間隔となる３箇所に固定爪７３が設けられている。各固定爪７３は、側壁部７２の先端から基端に延び且つ側壁部７２を同側壁部７２の径方向に貫通する一対の溝を設けることにより部分的に側壁部７２から分離された部分である。各固定爪７３は、径方向に貫通した固定孔７４を有する。固定孔７４は、側壁部７２の径方向から見た形状が、保持部５１の径方向視における固定凸部５５の形状と同様の四角形状をなしている。そして、側壁部７２の軸方向における固定孔７４の幅は、保持部５１の軸方向における固定凸部５５の幅と等しいか若干広い。また、側壁部７２の周方向における固定孔７４の幅は、保持部５１の周方向における固定凸部５５の幅と等しいか若干広い。また、固定孔７４の内周面は、側壁部７２の軸方向と直交する平面状をなし下方を向いた係止面７４ａを備えている。これら固定爪７３は、その先端が基端に対して側壁部７２の径方向にずれるように弾性変形可能である。
【００４３】
図１（ａ）、図１（ｂ）及び図２に示すように、側壁部７２の内側には、アウタハウジング４１の保持部５１の下端部が内挿されるとともに、保持部５１の下端面は、底部７１の内側面（上面）に当接している。そして、バックリテーナ４３は、３つの固定爪７３の固定孔７４にアウタハウジング４１の３つの固定凸部５５が嵌ることにより、アウタハウジング４１の下端部、即ち保持部５１の下端部に固定されている。そして、固定孔７４の係止面７４ａと、固定凸部５５の係止面５５ａとが当接することにより、アウタハウジング４１に対するバックリテーナ４３の下方への移動が阻止される。アウタハウジング４１に対するバックリテーナ４３の上方への移動は、保持部５１の下端面と底部７１の内側面とが当接することにより阻止される。また、アウタハウジング４１に対するバックリテーナ４３の周方向の回転は、固定孔７４の内周面に固定凸部５５における保持部５１の周方向の両端面が当接することにより阻止される。アウタハウジング４１に固定されたバックリテーナ４３は、その軸方向がアウタハウジング４１の保持部５１の軸方向と一致する。
【００４４】
なお、本実施形態の第１ハウジング４０においては、アウタハウジング４１の保持部５１とバックリテーナ４３とによって有底筒状の本体部４４が構成されている。そして、保持部５１の上端開口部は、本体部４４の開口部に該当するとともに、バックリテーナ４３の底部７１は、本体部４４の底部に該当する。
【００４５】
図１（ａ）及び図２に示すように、底部７１には、周方向に１８０°間隔となる２箇所に固定孔７５が設けられている。２つの固定孔７５は、側壁部７２の軸方向に底部７１を貫通している。また、各固定孔７５は、側壁部７２の軸方向から見た形状が四角形状をなしている。側壁部７２の周方向における各固定孔７５の幅は、保持部６１の周方向における固定爪６６の幅と等しいか若干広い。また、側壁部７２の径方向における各固定孔７５の幅は、保持部６１の径方向における固定爪６６の幅よりも、固定爪６６の弾性変形を許容可能にする分だけ広い。更に、各固定孔７５の外周部分における底部７１の厚さ（即ち、側壁部７２の軸方向における底部７１の幅）は、インナハウジング４２における離間凸部６３の先端面と係止凸部６６ａとの間の保持部６１の軸方向の間隔と等しい。
【００４６】
側壁部７２の内側には、アウタハウジング４１の保持部５１よりも内側となる位置に、インナハウジング４２の保持部６１の下端部及び支持部６２が内挿されている。インナハウジング４２の離間凸部６３の先端面は、底部７１の内側面と対向している。バックリテーナ４３は、２つの固定孔７５にインナハウジング４２の２つの固定爪６６が挿入されて係合されることにより、インナハウジング４２の下端部に固定されている。なお、各固定孔７５にインナハウジング４２の固定爪６６を係合する際には、固定爪６６は、インナハウジング４２の下端部を側壁部７２の内側に挿入するに伴って、固定孔７５における底部７１の内側面側の開口部に案内されながら同固定爪６６の先端が基端に対して内周側にずれるように弾性変形される。そして、固定爪６６の係止凸部６６ａが固定孔７５を越えると、固定爪６６が原形に復帰するとともに、固定爪６６が底部７１に係止される。底部７１における固定孔７５の外周部分の一部は、固定爪６６の係止凸部６６ａとインナハウジング４２の離間凸部６３の先端面との間に挟持される。そして、係止凸部６６ａと底部７１の外側面（下面）とが当接することにより、インナハウジング４２に対してバックリテーナ４３が下方へ移動することが阻止される。インナハウジング４２に対するバックリテーナ４３の上方への移動は、離間凸部６３の先端面と底部７１の内側面とが当接することにより阻止される。また、インナハウジング４２に対するバックリテーナ４３の周方向の回転は、固定孔７５の内周面に固定爪６６における保持部６１の周方向の両端面が当接することにより阻止される。インナハウジング４２に固定されたバックリテーナ４３は、その軸方向がインナハウジング４２の保持部６１の軸方向と一致する。
【００４７】
バックリテーナ４３には、第１端子８０の接続部８３が挿通される挿通孔７６が設けられている。挿通孔７６は、バックリテーナ４３において、側壁部７２の周方向に並ぶ３つの固定爪７３のうち中央の固定爪７３から周方向に１８０°離れた位置に位置する。そして、挿通孔７６は、バックリテーナ４３の外周面（即ち側壁部７２の外周面）から同バックリテーナ４３の径方向の中央に向かって凹設された形状をなしている。また、挿通孔７６は、底部７１の外周縁寄りの一部分及び側壁部７２の一部分を側壁部７２の軸方向に貫通するとともに、側壁部７２の軸方向から見た形状がバックリテーナ４３の径方向外側に開口した矩形状をなしている。なお、挿通孔７６は、バックリテーナ４３において、インナハウジング４２の離間凸部６３と軸方向に対向する部分よりも外周側に位置しており、離間凸部６３とは軸方向に重ならない。この挿通孔７６は、バックリテーナ４３単体で見ると径方向外側に開口した凹状をなしているが、バックリテーナ４３と保持部５１とを含む本体部４４においては、同本体部４４の内外（即ち、保持部５１及びバックリテーナ４３の内側の空間と外側の空間）を連通する孔になる。そして、挿通孔７６は、第１ハウジング４０において、バックリテーナ４３の底部７１を含む部位、即ち本体部４４の底部を含む部位に設けられている。また、第１ハウジング４０が車体２１に固定されるとともに車体２１が水平に配置された状態において、挿通孔７６は、第１端子８０の第１接点部８５よりも鉛直方向Ｄ１に下側となる位置に位置する。更に、同状態において、挿通孔７６は、本体部４４の内部に位置する傾斜面６５よりも鉛直方向Ｄ１の下側に位置する。
【００４８】
そして、第１端子８０の接続部８３において保持部５１の下端から突出した部分は、挿通孔７６を通って第１ハウジング４０の外部（本体部４４の外部）に突出している。本実施形態では、接続部８３に接続された電線８６及び収縮チューブ８９は、バックリテーナ４３の底部７１よりも下方に位置（即ち第１ハウジング４０の外部に位置）するため、挿通孔７６には、接続部８３のみが挿通されている。
【００４９】
また、保持部５１の軸方向から見て、挿通孔７６は、接続部８３における挿通孔７６内に配置される部分の外形よりも大きく形成されている。そのため、挿通孔７６の内周面は、接続部８３との間に隙間を有する。従って、挿通孔７６は、内側に接続部８３が挿通されていても、本体部４４の内外を連通することができる。また、挿通孔７６の内部空間は、保持部５１の内部空間に隣り合う。このため、保持部５１の内側に配置された第１端子８０の貫通路８４は、保持部５１の内部空間、即ち本体部４４の内部空間を介して挿通孔７６に連通されている。なお、本実施形態では、挿通孔７６は、「排出孔」に該当する。
【００５０】
また、バックリテーナ４３には、第１端子９０の接続部９３が挿通される挿通孔７７が設けられている。挿通孔７７は、２つの固定孔７５の間で底部７１の中央部を側壁部７２の軸方向に貫通するとともに、側壁部７２の軸方向から見た形状が円形状をなしている。なお、挿通孔７７は、バックリテーナ４３においてインナハウジング４２の離間凸部６３と軸方向に対向する部分よりも内周側に位置しており、離間凸部６３とは軸方向に重ならない。この挿通孔７７は、第１ハウジング４０において、バックリテーナ４３の底部７１、即ち本体部４４の底部に設けられるとともに、本体部４４の内外を連通する。また、第１ハウジング４０が車体２１に固定されるとともに車体２１が水平に配置された状態において、挿通孔７７は、第１端子９０の第１接点部９５よりも鉛直方向Ｄ１に下側となる位置に位置する。更に、同状態において、挿通孔７７は、本体部４４の内部に位置する傾斜面６５よりも鉛直方向Ｄ１の下側に位置する。
【００５１】
そして、第１端子９０の接続部９３において保持部６１の下端から突出した部分は、挿通孔７７を通って第１ハウジング４０の外部（本体部４４の外部）に突出している。本実施形態では、接続部９３に接続された電線９７及び収縮チューブ９８は、バックリテーナ４３の底部７１よりも下方に位置（即ち第１ハウジング４０の外部に位置）するため、挿通孔７７には、接続部９３のみが挿通されている。
【００５２】
また、保持部５１の軸方向から見て、挿通孔７７は、接続部９３における挿通孔７７内に配置される部分の外形よりも大きく形成されている。本実施形態では、挿通孔７７の内径は、接続部９３における挿通孔７７内に配置される部分の最大外径より大きく、且つ、電線８６の直径より小さい。そのため、挿通孔７７の内周面は、接続部９３との間に隙間を有する。そして、挿通孔７７は、内側に接続部９３が挿通されていても、本体部４４の内外を連通することができる。また、挿通孔７７の内部空間は、保持部６１の内部空間と保持部６１の軸方向に並んでいる。保持部６１の内側に配置された第１端子９０の貫通路９４は、本体部４４の内部に位置する保持部６１の内部空間を介して挿通孔７７に連通されている。なお、本実施形態では、挿通孔７７は、「排出孔」に該当する。
【００５３】
また、第１端子９０の複数の係止部９６は、保持部６１の下端面と底部７１との間に位置する。各係止部９６の先端部は、離間凸部６３よりも内周側、且つ挿通孔７７よりも外周側に位置する。これら係止部９６が底部７１の内側面に当接することにより、第１ハウジング４０から第１端子９０が脱落することが抑制されている。
【００５４】
図１（ａ）及び図３に示すように、第２コネクタ３２は、第２ハウジング１００と、２つの第２端子１５０，１６０とを有する。
第２ハウジング１００は、アウタハウジング１０１と、アウタハウジング１０１の内側に配置されるインナハウジング１０２と、アウタハウジング１０１及びインナハウジング１０２と組み付けられるバックリテーナ１０３とを有する。アウタハウジング１０１、インナハウジング１０２及びバックリテーナ１０３は、絶縁性の樹脂材料よりなる。
【００５５】
アウタハウジング１０１は、円筒状の保持部１１１と、保持部１１１の外周面から鍔状に延出された固定部１１２とを有する。
固定部１１２は、保持部１１１と同軸の円環状をなすとともに、周方向に離れた複数箇所（本実施形態では９０°間隔となる４箇所）に固定孔１１３を有する。各固定孔１１３は、保持部１１１の軸方向に固定部１１２を貫通するとともに、各固定孔１１３の内周面には、円筒状をなす金属製のカラー１１４が装着されている。第２コネクタ３２は、アウタハウジング１０１が固定部１１２においてバッテリ２２のケース２３に固定されることにより、バッテリ２２に対して固定される。具体的には、ケース２３における第２コネクタ３２を固定する場所（例えば、ケース２３の底部）には、装着孔２３ａが設けられている。そして、ケース２３における装着孔２３ａの外周部分に固定部１１２がケース２３の内側から重ね合わされるとともに、各固定孔１１３、即ちカラー１１４に挿通された図示しないボルト及びナットによってケース２３における装着孔２３ａの外周部分と固定部１１２とが固定されることにより、第２コネクタ３２はケース２３に固定される。
【００５６】
なお、本実施形態では、バッテリ２２は、車体２１に設けられた図示しない収容凹部に挿入される。収容凹部は、車体２１が水平に配置された状態において、鉛直方向Ｄ１に凹設されており、上方に開口するものである。第１コネクタ３１は、収容凹部の底部に配置される。また、収容凹部の内周面は、バッテリ２２のケース２３の外形に対応した筒状（例えば四角筒状）をなしており、バッテリ２２が収容凹部に挿入される際に、第１コネクタ３１に第２コネクタ３２が接続されるよう当該バッテリ２２を案内する。このため、収容凹部へのバッテリ２２の挿入方向と、第１コネクタ３１と第２コネクタ３２との接続方向Ｄ２とが一致している。また、収容凹部の開口部は、車体２１の図示しない座席部によって閉塞される。座席部は、車体２１に対して収容凹部の開口部を開閉可能に設けられている。座席部によって収容凹部の開口部が閉塞されると、同座席部によって収容凹部内のバッテリ２２の上方への移動、即ち第１コネクタ３１と第２コネクタ３２との接続が解除される方向へのバッテリ２２の移動が阻止される。
【００５７】
以下、車体２１に固定された第１コネクタ３１に第２コネクタ３２が接続された状態（即ち図１（ａ）に示す状態）であって、車体２１が水平に配置された状態における鉛直方向Ｄ１を第２コネクタ３２の上下方向として第２コネクタ３２の説明をする。なお、同状態において、第２コネクタ３２が備えるアウタハウジング１０１の保持部１１１の軸方向は、鉛直方向Ｄ１（上下方向）と一致する。
【００５８】
保持部１１１において、固定部１１２よりも下端側の部分の外周面には、収容溝１１５が形成されている。保持部１１１の下端部は、バッテリ２２のケース２３に設けられた装着孔２３ａに挿入される。収容溝１１５は、保持部１１１の外周面において装着孔２３ａの内周面と保持部１１１の径方向に対向する部分に設けられている。収容溝１１５は、保持部１１１の外周面から径方向内側に凹設されており、保持部１１１の径方向外側に開口している。また、収容溝１１５は、保持部１１１の周方向に沿って延びる円環状をなしている。収容溝１１５には、防水部材１１６が配置されている。本実施形態の防水部材１１６は、弾性を有するゴム材料よりなるＯリングである。防水部材１１６は、収容溝１１５の内面と装着孔２３ａの内周面とに液密に密着することにより、保持部１１１の外周面と装着孔２３ａの内周面との間から水等の液体がバッテリ２２の内部に浸入することを抑制する。
【００５９】
また、保持部１１１の基端部（即ち、保持部１１１の軸方向の上端部）には、外径が小さくされた挿入部１１７が設けられている。そして、挿入部１１７の外周面には、複数（本実施形態では３つ）の固定凸部１１８が設けられている。保持部１１１の外周面において、３つの固定凸部１１８は、周方向に９０°間隔となる３箇所に位置する。各固定凸部１１８は、挿入部１１７の外周面から径方向外側に突出するとともに、保持部１１１の径方向から見た形状が四角形状をなしている。また、各固定凸部１１８の下面は、保持部１１１の軸方向と直交する平面状をなす係止面１１８ａである。また、各固定凸部１１８の上面である案内面１１８ｂは、固定凸部１１８の径方向外側の先端側ほど固定凸部１１８における保持部１１１の軸方向の幅が狭くなるように、即ち、固定凸部１１８の径方向外側の先端側ほど係止面１１８ａとの間の保持部１１１の軸方向における距離が短くなるように傾斜している。
【００６０】
インナハウジング１０２は、アウタハウジング１０１の保持部１１１の内側に配置されている。インナハウジング１０２は、円筒状の保持部１２１と、保持部１２１の基端部（即ち、保持部１２１の軸方向の上端部）を略閉塞する閉塞部１２２とを有することにより、有底円筒状をなしている。
【００６１】
保持部１２１は、アウタハウジング１０１の保持部１１１の内径より小さい外径を有するとともに、保持部１１１と同軸となるように配置されている。保持部１２１の軸方向の長さは、保持部１１１の軸方向の長さと略等しい。また、保持部１１１，１２１の軸方向における保持部１２１の先端（即ち、保持部１２１の軸方向の下端）の位置は、保持部１１１，１２１の軸方向における保持部１１１の先端（即ち、保持部１１１の軸方向の下端）の位置と略等しい。また、本実施形態では、第２コネクタ３２において、保持部１１１の先端面の鉛直方向Ｄ１の位置と、保持部１２１の先端面の鉛直方向Ｄ１の位置とは等しく、そのため、保持部５１の先端面と保持部６１の先端面とは、鉛直方向Ｄ１と直交する同一平面内に位置する。
【００６２】
第２コネクタ３２は、アウタハウジング１０１の保持部１１１とインナハウジング１０２の保持部１２１との間に第１端子８０に電気的に接続される第２端子１５０を保持している。本実施形態では、第２端子１５０は、陰極の雄端子である。第２端子１５０は、導電性の金属材料よりなり、本実施形態では、銅または銅合金よりなる。第２端子１５０は、円筒状の端子本体１５１と、端子本体１５１の基端部（即ち、端子本体１５１の軸方向の上端部）から端子本体１５１の径方向外側に延出された環状の鍔部１５２と、鍔部１５２から端子本体１５１の径方向に沿って外側に延出された接続部１５３とを有する。
【００６３】
図４（ａ）及び図４（ｂ）に示すように、端子本体１５１は、インナハウジング１０２の保持部１２１に外挿されている。端子本体１５１の内径は、保持部１２１の外径と等しいか若干大きい。また、端子本体１５１の外径は、アウタハウジング１０１の保持部１１１の最小内径より小さい。そのため、端子本体１５１は、保持部１１１の内周面との間に隙間を有する。また、端子本体１５１の外径は、第１端子８０に嵌入可能な大きさであり、第１接点部８５を除く延出部８２における第１端子８０の内径と略等しい。そして、端子本体１５１は、保持部１１１，１２１と同軸に配置されている。
【００６４】
保持部１２１の先端部には、抜止め凸部１２３が設けられている。抜止め凸部１２３は、保持部１２１の先端部から同保持部１２１の径方向外側に突出しており、円環状をなしている。第２端子１５０は、同第２端子１５０の先端面（下端面）が、保持部１２１の軸方向から（本実施形態では上方から）抜止め凸部１２３に当接することにより、保持部１２１に対して軸方向の一方側（本実施形態では下側）への位置決めがなされる。また、端子本体１５１の軸方向の長さは、保持部１２１の軸方向における抜止め凸部１２３の長さの分だけ保持部１２１の軸方向の長さより短い。そして、端子本体１５１の上端面は、保持部１２１の基端面、保持部１１１の基端面及び閉塞部１２２の外側面と同一平面内に位置する。
【００６５】
図１（ａ）に示すように、アウタハウジング１０１の保持部１１１の内周面と端子本体１５１の外周面との間には、防水部材１２４が配置されている。保持部１１１の基端部には、保持部１１１の基端部から保持部１１１の径方向内側に突出して端子本体１５１の外周面に近接する円環状の支持凸部１１９が設けられている。防水部材１２４は、保持部１１１における支持凸部１１９よりも基端側の部分の内周面と端子本体１５１の外周面との間に介在されている。本実施形態の防水部材１２４は、弾性を有するゴム材料よりなるＯリングである。防水部材１２４は、保持部１１１の内周面と端子本体１５１の外周面とに液密に密着することにより、保持部１１１の内周面と端子本体１５１の外周面との間から水等の液体がバッテリ２２の内部に浸入することを抑制する。
【００６６】
また、図１（ａ）及び図１（ｃ）に示すように、インナハウジング１０２の保持部１２１と端子本体１５１の内周面との間には、防水部材１２５が配置されている。保持部１２１の基端部における外周面には、収容溝１２６が形成されている。収容溝１２６は、保持部１２１の基端部における外周面から径方向内側に凹設されており、保持部１２１の径方向外側に開口している。また、収容溝１２６は、保持部１２１の周方向に沿って延びる円環状をなしている。防水部材１２５は、この収容溝１２６に配置されている。本実施形態の防水部材１２４は、弾性を有するゴム材料よりなるＯリングである。防水部材１２４は、収容溝１２６の内面と端子本体１５１の内周面とに液密に密着することにより、保持部１２１の外周面と端子本体１５１の内周面との間から水等の液体がバッテリ２２の内部に浸入することを抑制する。
【００６７】
図１（ａ）及び図３に示すように、第２端子１５０の接続部１５３は、鍔部１５２の周方向の一部から端子本体１５１の径方向に沿って保持部１１１の外側まで延びている。接続部１５３には、導電性の金属材料よりなるバスバー１５５を介して電線１５６が電気的に接続されている。本実施形態のバスバー１５５は、銅または銅合金よりなる板材にプレス加工を施して形成されている。また、電線１５６は、第１端子８０に接続された電線８６と同様に、銅または銅合金よりなる撚線８７を絶縁性の被覆膜８８にて被覆したものである。そして、接続部１５３の先端部に、バスバー１５５の一端部がボルト１５７及びナット１５８により電気的に接続されている。更に、バスバー１５５の他端部に、電線１５６における第２端子１５０と接続される端部が電気的に接続されている。電線１５６におけるバスバー１５５と接続される端部は、被覆膜８８が除去されて撚線８７が露出している。そして、電線１５６の当該端部は、バスバー１５５にかしめられることでバスバー１５５の他端部に電気的に接続されている。これにより、第２端子１５０には、バスバー１５５を介して電線１５６が電気的に接続されている。
【００６８】
インナハウジング１０２は、保持部１２１の内側に、第１端子９０に電気的に接続される第２端子１６０を保持している。本実施形態では、第２端子１６０は、陽極の雄端子である。第２端子１６０は、導電性の金属材料よりなり、本実施形態では、銅または銅合金よりなる。第２端子１６０は、保持部１２１の内側に配置される円柱状の端子本体１６１と、端子本体１６１の基端（上端）に一体に設けられた位置決め部１６２と、位置決め部１６２から上方に延びる接続部１６３とを有する。
【００６９】
図４（ａ）及び図４（ｃ）に示すように、端子本体１６１の軸方向の長さは、保持部１２１の軸方向の長さと略等しい。端子本体１５１の外径は、第１端子９０に嵌入可能な大きさであり、第１接点部９５を除く延出部９２における第１端子９０の内径と略等しい。端子本体１６１は、閉塞部１２２の中央部に設けられ端子本体１６１の外径よりも僅かに大きい内径を有する円孔である貫通孔１２８から保持部１２１の内部に挿入されている。そして、端子本体１６１は、保持部１１１，１２１及び第２端子１５０の端子本体１５１と同軸に配置されている。また、保持部１２１の軸方向における端子本体１６１の先端の位置は、当該軸方向における端子本体１５１の先端の位置と等しい。また、端子本体１６１の先端部には、軸方向から螺子１６５が螺合されている。
【００７０】
図１（ａ）に示すように、位置決め部１６２は、端子本体１６１と同軸上に位置する円板状をなしている。位置決め部１６２の外径は、端子本体１６１の外径より大きく、更には貫通孔１２８の内径より大きい。そのため、位置決め部１６２は、端子本体１６１に対して径方向外側に鍔状に突出している。また、位置決め部１６２の外径は保持部１２１の内径より小さい。
【００７１】
図１（ａ）及び図１（ｃ）に示すように、閉塞部１２２の外側の端部には、保持部１２１の軸方向から見て貫通孔１２８と同心の円形状をなし上方に開口した位置決め凹部１３１が凹設されている。また、閉塞部１２２の外側面には、位置決め凹部１３１の開口縁部から上方に突出した環状の環状凸部１３２が設けられている。環状凸部１３２は、位置決め凹部１３１を軸方向に沿って上方に延長している。位置決め凹部１３１の深さ（即ち、軸方向の幅）は、位置決め部１６２の軸方向の厚さと等しく、位置決め凹部１３１の内径は、位置決め部１６２の外径と等しい。
【００７２】
位置決め部１６２は、位置決め凹部１３１に嵌入されている。そして、位置決め部１６２の下面が位置決め凹部１３１の底面に当接することにより、インナハウジング１０２に対する第２端子１６０の軸方向の位置決めがなされるとともに、インナハウジング１０２に対して第２端子１６０が下方へ移動することが阻止される。また、位置決め部１６２の外周面が位置決め凹部１３１の内周面に当接することにより、インナハウジング１０２に対する第２端子１６０の径方向の位置決めがなされるため、インナハウジング１０２に対して第２端子１６０が保持部１２１の径方向に移動することが阻止される。なお、位置決め部１６２の上面と環状凸部１３２の先端面（上端面）とは、保持部１２１の軸方向と直交する同一平面内に位置する。
【００７３】
位置決め部１６２の外周面と位置決め凹部１３１の内周面との間には、防水部材１３３が配置されている。位置決め部１６２の外周面には、収容溝１６２ａが形成されている。収容溝１６２ａは、位置決め部１６２の外周面から径方向内側に凹設されており、位置決め部１６２の径方向外側に開口している。また、収容溝１６２ａは、位置決め部１６２の周方向に沿って延びる円環状をなしている。防水部材１３３は、この収容溝１６２ａに配置されている。本実施形態の防水部材１３３は、弾性を有するゴム材料よりなるＯリングである。防水部材１３３は、収容溝１６２ａの内面と位置決め凹部１３１の内周面とに液密に密着することにより、保持部１２１の内側に浸入した水等の液体が、貫通孔１２８を通って位置決め凹部１３１の内周面と位置決め部１６２の外周面との間からバッテリ２２の内部に浸入することを抑制する。
【００７４】
図１（ａ）に示すように、接続部１６３は、端子本体１６１及び位置決め部１６２と同軸上に位置する円筒状をなしている。接続部１６３の内周面には、螺子溝が形成されている。接続部１６３の上端は、第２ハウジング１００の外部に位置する。
【００７５】
接続部１６３には、導電性の金属材料よりなるバスバー１６６を介して電線１６７が電気的に接続されている。本実施形態のバスバー１６６は、銅または銅合金よりなる板材にプレス加工を施して形成されている。また、電線１６７は、第１端子８０に接続された電線８６と同様に、銅または銅合金よりなる撚線８７を絶縁性の被覆膜８８にて被覆したものである。バスバー１６６の一端部は、同バスバー１６６を貫通し接続部１６３に螺合されたボルト１６８によって接続部１６３の先端部に電気的に接続されている。更に、バスバー１６６の他端部に、電線１６７における第２端子１６０と接続される端部が電気的に接続されている。電線１６７におけるバスバー１６６と接続される端部は、被覆膜８８が除去されて撚線８７が露出している。そして、電線１６７の当該端部は、バスバー１６６にかしめられることでバスバー１６６の他端部に電気的に接続されている。これにより、第２端子１６０には、バスバー１６６を介して電線１６７が電気的に接続されている。
【００７６】
図３に示すように、インナハウジング１０２は、閉塞部１２２の外側面（上面）から突出した複数（本実施形態では２つ）の固定爪１３５を有する。２つの固定爪１３５は、閉塞部１２２の外側面における環状凸部１３２よりも外周側の部分で、保持部１２１の周方向に１８０°間隔となる２箇所から保持部１２１の軸方向に沿って上方に突出している。各固定爪１３５の外形は、保持部１２１の軸方向から見て四角形状をなしている。各固定爪１３５は、その先端部に係止凸部１３５ａを有する。係止凸部１３５ａは、各固定爪１３５の先端部において、保持部１２１の径方向外側に突出している。各固定爪１３５は、その基端に対して先端が保持部１２１の径方向にずれるように弾性変形可能である。
【００７７】
図１（ａ）及び図３に示すように、バックリテーナ１０３は、アウタハウジング１０１及びインナハウジング１０２の上端部に固定されている。バックリテーナ１０３は、略円形の皿状をなしている。バックリテーナ１０３は、略円板状をなす底部１４１と、底部１４１の外周縁から上方に立設された略円筒状の側壁部１４２とを有する。底部１４１の外径は、アウタハウジング１０１の保持部１１１における固定部１１２と挿入部１１７との間の部分の外径と略等しい。また、側壁部１４２の内径は、挿入部１１７の外径と等しいか僅かに大きい。また、側壁部１４２の軸方向の高さは、挿入部１１７の軸方向の幅と略等しい。
【００７８】
側壁部１４２には、周方向に９０°間隔となる３箇所に固定爪１４３が設けられている。各固定爪１４３は、側壁部１４２の先端から基端に延び且つ側壁部１４２を同側壁部１４２の径方向に貫通する一対の溝を設けることにより部分的に側壁部１４２から分離された部分である。各固定爪１４３は、径方向に貫通した固定孔１４４を有する。固定孔１４４は、側壁部１４２の径方向から見た形状が、保持部１１１の径方向視における固定凸部１１８の形状と同様の四角形状をなしている。そして、側壁部１４２の軸方向における固定孔１４４の幅は、保持部１１１の軸方向における固定凸部１１８の幅と等しいか若干広い。また、側壁部１４２の周方向における固定孔１４４の幅は、保持部１１１の周方向における固定凸部１１８の幅と等しいか若干広い。また、固定孔１４４の内周面は、側壁部１４２の軸方向と直交する平面状をなし上方を向いた係止面１４４ａを備えている。これら固定爪１４３は、その先端が基端に対して側壁部１４２の径方向にずれるように弾性変形可能である。
【００７９】
側壁部１４２の内側には、アウタハウジング４１の上端部、即ち挿入部１１７が内挿されるとともに、保持部１１１の上端面は、底部１４１の内側面（下面）に当接している。そして、バックリテーナ１０３は、３つの固定爪１４３の固定孔１４４にアウタハウジング１０１の３つの固定凸部１１８が嵌ることにより、アウタハウジング１０１の上端部、即ち保持部１１１の上端部に固定されている。そして、固定孔１４４の係止面１４４ａと、固定凸部１１８の係止面１１８ａとが当接することにより、アウタハウジング１０１に対するバックリテーナ１０３の上方への移動が阻止される。アウタハウジング１０１に対するバックリテーナ１０３の下方への移動は、保持部１１１の上端面と底部１４１の内側面とが当接することにより阻止される。また、アウタハウジング１０１に対するバックリテーナ１０３の周方向の回転は、固定孔１４４の内周面に固定凸部１１８における保持部１１１の周方向の両端面が当接することにより阻止される。アウタハウジング１０１に固定されたバックリテーナ１０３は、その軸方向がアウタハウジング１０１の保持部１１１の軸方向と一致する。
【００８０】
図１（ａ）及び図３に示すように、底部１４１には、周方向に１８０°間隔となる２箇所に固定孔１４５が設けられている。２つの固定孔１４５は、側壁部１４２の軸方向に底部１４１を貫通している。また、各固定孔１４５は、側壁部１４２の軸方向から見た形状が四角形状をなしている。側壁部１４２の周方向における各固定孔１４５の幅は、保持部６１の周方向における固定爪１３５の幅と等しいか若干広い。また、バックリテーナ１０３の径方向における各固定孔１４５の幅は、保持部６１の径方向における固定爪１３５の幅よりも、固定爪１３５の弾性変形を許容可能にする分だけ広い。更に、各固定孔１４５の外周部分における底部１４１の厚さ（即ち、側壁部１４２の軸方向における底部１４１の幅）は、インナハウジング１０２における閉塞部１２２の外側面と係止凸部１３５ａとの間の軸方向の距離と等しい。
【００８１】
側壁部１４２の内側には、アウタハウジング１０１の保持部１１１よりも内側となる位置に、インナハウジング１０２の保持部１２１の上端部及び閉塞部１２２が内挿されている。保持部１２１の上端面、閉塞部１２２の外側面、及び環状凸部１３２の上端面は、底部１４１の内側面と対向している。バックリテーナ１０３は、２つの固定孔１４５にインナハウジング１０２の２つの固定爪１３５が挿入されて係合されることにより、インナハウジング１０２の上端部に固定されている。なお、各固定孔１４５にインナハウジング１０２の固定爪１３５を係合する際には、固定爪１３５は、インナハウジング１０２の上端部を側壁部１４２の内側に挿入するに伴って、固定孔１４５における底部１４１の内側面側の開口部に案内されながら同固定爪１３５の先端が基端に対して内周側にずれるように弾性変形される。そして、固定爪１３５の係止凸部１３５ａが固定孔１４５を越えると、固定爪１３５が原形に復帰するとともに、固定爪１３５が底部１４１に係止される。底部１４１における固定孔１４５の外周部分の一部は、固定爪１３５の係止凸部１３５ａと閉塞部１２２の外側面との間に挟持される。そして、固定爪１３５の係止凸部１３５ａと底部１４１の外側面（上面）とが当接することにより、インナハウジング１０２に対してバックリテーナ１０３が上方へ移動することが阻止される。インナハウジング１０２に対するバックリテーナ１０３の下方への移動は、保持部１２１の上端面、閉塞部１２２の外側面、及び環状凸部１３２の上端面と底部１４１とが当接することにより阻止される。また、インナハウジング１０２に対するバックリテーナ１０３の周方向の回転は、固定孔１４５の内周面に固定爪１３５における保持部１２１の周方向の両端面が当接することにより阻止される。インナハウジング１０２に固定されたバックリテーナ１０３は、その軸方向がインナハウジング１０２の保持部１２１の軸方向と一致する。
【００８２】
バックリテーナ１０３には、第２端子１５０の接続部１５３を第２ハウジング１００の外部に露出させる露出孔１４６が設けられている。露出孔１４６は、バックリテーナ１０３において、保持部１２１の軸方向に接続部１５３と重なる部分を含む範囲に設けられている。また、露出孔１４６は、バックリテーナ１０３において、側壁部１４２の周方向に並ぶ３つの固定爪１４３のうち中央の固定爪１４３から周方向に１８０°離れた位置に位置する。そして、露出孔１４６は、バックリテーナ１０３の外周面（即ち側壁部１４２の外周面）から同バックリテーナ１０３の径方向の中央に向かって凹設された形状をなしている。また、露出孔１４６は、底部１４１の外周縁寄りの一部分及び側壁部１４２の一部分を側壁部１４２の軸方向に貫通するとともに、側壁部１４２の軸方向から見た形状がバックリテーナ１０３の径方向外側に開口した矩形状をなしている。
【００８３】
また、バックリテーナ１０３には、第２端子１６０の接続部１６３が挿通される挿通孔１４７が設けられている。挿通孔１４７は、２つの固定孔１４５の間で底部１４１の中央部を側壁部１４２の軸方向に貫通するとともに、側壁部１４２の軸方向から見た形状が円形状をなしている。また、挿通孔１４７は、バックリテーナ１０３においてインナハウジング１０２の環状凸部１３２と軸方向に対向する部分よりも内周側に位置しており、貫通孔１２８と軸方向に重なる。また、挿通孔１４７の内径は、接続部１６３の外径と等しいか若干大きい。そして、接続部１６３は、挿通孔１４７を通って第２ハウジング１００の外部に突出している。
【００８４】
図４（ａ）〜図４（ｃ）に示すように、上記のように構成された第１コネクタ３１と第２コネクタ３２とは、第１コネクタ３１の第１端子８０，９０と第２コネクタ３２の第２端子１５０，１６０とが同軸上に位置する状態で、第１コネクタ３１に対して第２コネクタ３２が接続方向Ｄ２に移動されることにより接続される。このとき、第２コネクタ３２の接続方向Ｄ２の移動に伴って、第２ハウジング１００の保持部１１１に第１ハウジング４０の保持部５１が挿入されるとともに、第２ハウジング１００の保持部１２１に第１ハウジング４０の保持部６１が挿入される。また同時に、第１端子８０に第２端子１５０の端子本体１５１が保持部５１の軸方向に沿って嵌入されるとともに、第１端子９０に第２端子１６０の端子本体１６１が保持部５１の軸方向に沿って嵌入される。即ち、第１端子８０と第２端子１５０とが嵌合されるとともに、第１端子９０と第２端子１６０とが嵌合される。なお、第１端子８０と第２端子１５０との接続方向、及び、第１端子９０と第２端子１６０との接続方向は、第１コネクタ３１と第２コネクタ３２との接続方向Ｄ２と同方向である。そして、第２ハウジング１００の保持部１１１の先端面が第１ハウジング４０の固定部５２の上面に当接すると、第１コネクタ３１と第２コネクタ３２とは、互いに接続された接続状態（即ち、図４（ａ）に示す状態）となる。
【００８５】
なお、本実施形態のコネクタ装置３０においては、第１コネクタ３１に備えられる第１端子８０は、保持部５１の周方向に並ぶ複数の第１接点部８５を有するとともに、当該第１端子８０に嵌入される第２端子１５０の端子本体１５１は円柱状をなしている。同様に、第１コネクタ３１に備えられる第１端子９０は、保持部６１の周方向、即ち保持部５１の周方向に並ぶ複数の第１接点部９５を有するとともに、当該第１端子９０に嵌入される第２端子１６０の端子本体１６１は円柱状をなしている。また、第１ハウジング４０及び第２ハウジング１００において、接続時に互いに内挿もしくは外挿される保持部５１，６１，１１１，１２１は何れも円筒状をなしている。そのため、保持部５１の中心軸線Ｌ１周り、即ち本体部４４の中心軸線周りの第１コネクタ３１と第２コネクタ３２との相対回転位置が何れの位置であっても、第１コネクタ３１と第２コネクタ３２とを接続することができる。
【００８６】
第１コネクタ３１と第２コネクタ３２とが接続状態にある場合、第１端子８０の第１接点部８５は、延出部８２の弾性力により第２端子１５０の端子本体１５１の外周面に押し付けられた状態で接触する。このように第１接点部８５が第２端子１５０に接触することにより、第１端子８０と第２端子１５０とが電気的に接続される。そして、同場合に、第２端子１５０において第１接点部８５が接触している部分が、第２端子１５０において第１接点部８５と接触することにより第１接点部８５と電気的に接続される第２接点部１５４である。第２接点部１５４は、第２ハウジング１００の保持部１１１の内部に露出している。
【００８７】
同様に、第１コネクタ３１と第２コネクタ３２とが接続状態にある場合、第１端子９０の第１接点部９５は、延出部９２の弾性力により第２端子１６０の端子本体１６１の外周面に押し付けられた状態で接触する。このように第１接点部９５が第２端子１６０に接触することにより、第１端子９０と第２端子１６０とが電気的に接続される。そして、同場合に、第２端子１６０において第１接点部９５が接触している部分が、第２端子１６０において第１接点部９５と接触することにより第１接点部９５と電気的に接続される第２接点部１６４である。第２接点部１６４は、第２ハウジング１００の保持部１１１の内部であって保持部１２１の内部に露出している。
【００８８】
本実施形態のコネクタ装置３０においては、第１端子８０は、複数の第１接点部８５を有するため、複数箇所で第２端子１５０に接触して電気的に接続されることになる。また、第１端子９０は、複数の第１接点部９５を有するため、複数箇所で第２端子１６０に接触して電気的に接続されることになる。そのため、例えば１００Ａ以上といった大電流がコネクタ装置３０に通された場合であっても、第１接点部８５，９５及び第２接点部１５４，１６４が異常に発熱することが抑制される。
【００８９】
なお、接続状態にある第２コネクタ３２を、接続方向Ｄ２と反対方向に移動させて第１コネクタ３１から離すと、第１端子８０から第２端子１５０が抜けるとともに、第１端子９０から第２端子１６０が抜けて、第１端子８０と第２端子１５０との電気的な接続が解除されるとともに、第１端子９０と第２端子１６０との電気的な接続が解除される。同時に、第２ハウジング１００の保持部１１１から第１ハウジング４０の保持部５１が抜けるとともに、第２ハウジング１００の保持部１２１から第１ハウジング４０の保持部６１が抜けて、第１ハウジング４０と第２ハウジング１００とが分離される。これにより、第１コネクタ３１と第２コネクタ３２との接続が解除されて、その結果、第１コネクタ３１及び第２コネクタ３２は、互いに接続されていない未接続状態となる。
【００９０】
本実施形態の作用について説明する。
図５に示すように、未接続状態にある第１コネクタ３１に水等の液体がかかると、保持部５１の内側に当該液体が浸入することがある。本実施形態では、保持部５１の内側に浸入した液体は、第１端子８０の内側、即ち貫通路８４を通って下方のバックリテーナ４３の方へ流れていく。そして、当該液体は、保持部５１と支持部６２との間の隙間（即ち、第１端子８０の環状部８１の内周面と支持部６２の外周面との間の隙間）を通ってバックリテーナ４３の底部７１の内側面まで流れた後、挿通孔７６から本体部４４の外部へ排出される。このとき、支持部６２の傾斜面６５に付着した液体は、傾斜面６５によって、外周側且つ下方、即ち挿通孔７６の方へ案内される。その後、当該液体は、保持部５１と支持部６２との間の隙間を通ってバックリテーナ４３の底部７１の内側面まで流れた後に、挿通孔７６から本体部４４の外部へ排出される。なお、図１（ａ）に示すように、挿通孔７６に内挿された第１端子８０の接続部８３を伝って液体が電線８６の方へ流れたとしても、電線８６における接続部８３との接続部分であって被覆膜８８が除去されて撚線８７が露出した部分は収縮チューブ８９にて被覆されている。そのため、電線８６の内部に液体が浸入することが抑制されている。
【００９１】
また、図５に示すように、未接続状態にある第１コネクタ３１に水等の液体がかかると、保持部６１の内側に当該液体が浸入することがある。本実施形態では、保持部６１の内側に浸入した液体は、第１端子９０の内側、即ち貫通路９４を通って下方のバックリテーナ４３の方へ流れていく。そして、当該液体は、挿通孔７７から本体部４４の外部へ排出される。なお、図１（ａ）に示すように、挿通孔７７に内挿された第１端子９０の接続部９３を伝って液体が電線９７の方へ流れたとしても、電線９７における接続部９３との接続部分であって被覆膜８８が除去されて撚線８７が露出した部分は収縮チューブ９８にて被覆されている。そのため、電線９７の内部に液体が浸入することが抑制されている。
【００９２】
本実施形態の効果について説明する。
（１−１）第１ハウジング４０は、第１ハウジング４０が固定場所（本実施形態では車体２１）に固定された状態で、第１接点部８５，９５よりも鉛直方向Ｄ１に下側となる位置に、本体部４４の内外を連通する排出孔を兼ねる挿通孔７６，７７を有する。そのため、第１コネクタ３１に水等の液体がかかり本体部４４の内側に液体が溜まったとしても、挿通孔７６，７７から液体が本体部４４の外部に排出されることにより、第１接点部８５，９５が液体に浸った状態となることが抑制される。従って、第１接点部８５，９５が電食することを抑制することができる。また、砂等の挿通孔７６，７７より小さい異物が本体部４４の内側に侵入した場合、当該異物は、挿通孔７６，７７を通って本体部４４の外部に排出されることが可能である。
【００９３】
（１−２）第１ハウジング４０は、本体部４４の内部に、第１ハウジング４０が固定場所に固定された状態で挿通孔７６，７７よりも鉛直方向Ｄ１の上側に位置し鉛直方向Ｄ１と直交する仮想平面Ｓ１に対して傾斜した傾斜面６５を有する。このため、本体部４４の内部に水等の液体がかかった場合、傾斜面６５によって液体が鉛直方向Ｄ１の下方に案内される。そして、案内された液体は、傾斜面６５よりも鉛直方向Ｄ１の下方に位置する挿通孔７６，７７から本体部４４の外部に排出されることが可能である。従って、本体部４４の内部に侵入した水等の液体を、挿通孔７６，７７から本体部４４の外部により排出しやすくなる。その結果、第１接点部８５，９５が電食することをより抑制しやすくなる。
【００９４】
（１−３）本体部４４の開口部が底部よりも鉛直方向Ｄ１の上方に位置するように第１ハウジング４０が固定場所に固定された場合、本体部４４の内側に浸入した水等の液体は、本体部４４の底部の方へ流れる。排出孔を兼ねる挿通孔７６，７７は、本体部４４の底部に位置するため、本体部４４の内側に浸入した水等の液体を、排水孔を兼ねる挿通孔７６，７７から本体部４４の外部に更に排出しやすくなる。その結果、第１接点部８５，９５が電食することを更に抑制しやすくなる。
【００９５】
（１−４）本体部４４は、本体部４４の内外を連通し第１端子８０の接続部８３が挿通される挿通孔７６、及び本体部４４の内外を連通し第１端子９０の接続部９３が挿通される挿通孔７７を有する。挿通孔７６の内周面は、挿通孔７６の内側に位置する第１端子８０の接続部８３との間に隙間を有する。挿通孔７７の内周面は、挿通孔７７の内側に位置する第１端子９０の接続部９３との間に隙間を有する。挿通孔７６，７７は、第１ハウジング４０が固定場所に固定された状態で、第１接点部８５，９５よりも鉛直方向Ｄ１に下側となる位置に位置し本体部４４の内外を連通する排出孔を兼ねている。このように、挿通孔７６，７７が排出孔を兼ねるため、専用の排出孔を別途設けなくてもよい。従って、第１ハウジング４０の形状が複雑化されることを抑制できる。その結果、第１ハウジング４０の製造が煩雑になることを抑制できる。
【００９６】
（１−５）第１端子８０，９０は、第１端子８０，９０と第２端子１５０，１６０との接続方向Ｄ２に貫通する貫通路８４，９４を有する中空状のものである。そのため、第１端子８０に水等の液体がかかった場合、当該液体は貫通路８４を通って第１端子８０の外部に排出されるため、第１端子８０の内側に水等の液体が溜まることが抑制される。同様に、第１端子９０に水等の液体がかかった場合、当該液体は貫通路９４を通って第１端子９０の外部に排出されるため、第１端子９０の内側に水等の液体が溜まることが抑制される。従って、簡単な構成で第１端子８０，９０の内側に水等の液体が溜まることを抑制できる。その結果、第１端子８０，９０が電食することを容易に抑制できる。更に、貫通路８４，９４は、排出孔を兼ねる挿通孔７６，７７に連通されているため、貫通路８４，９４を通って第１端子８０，９０の外部に排出された液体は、排出孔を兼ねる挿通孔７６，７７から本体部４４の外部に排出可能である。
【００９７】
（１−６）本体部４４の内部に浸入した水等の液体は、挿通孔７６，７７から本体部４４の外部に排出されることが可能であるため、当該液体によって陰極の第１端子８０と陽極の第１端子９０とが導通されるほどに本体部４４内に当該液体が溜まることが抑制される。従って、陰極の第１端子８０と陽極の第１端子９０とが、当該液体によって短絡されることを抑制できる。
【００９８】
＜第２実施形態＞
以下、コネクタを備えたコネクタ装置の第２実施形態について説明する。なお、本実施形態において、上記実施形態と同じ構成部材又は上記実施形態と対応する構成部材については、同じ符号を付してその説明の一部又は全てを省略することがある。
【００９９】
図６に示す本実施形態のコネクタ装置３０Ａは、車体２１に固定される第１コネクタ３１Ａと、バッテリ２２のケース２３に固定される上記第１実施形態の第２コネクタ３２とを備えている。第１コネクタ３１Ａが備える第１ハウジング４０Ａは、上記第１実施形態の第１ハウジング４０に備えられるアウタハウジング４１及びバックリテーナ４３に代えて、アウタハウジング４１Ａ及びバックリテーナ４３Ａを備えている。
【０１００】
図６〜図８に示すように、アウタハウジング４１Ａは、上記第１実施形態のアウタハウジング４１の保持部５１に排出孔２０１を加えた構成である。本実施形態では、保持部５１は、２つの排出孔２０１を有する。２つの排出孔２０１は、保持部５１において保持部５１の周方向に１８０°離れた位置にそれぞれ形成されるとともに、保持部５１を同保持部５１の径方向に貫通している。また、各排出孔２０１は、保持部５１における同保持部５１の軸方向の中央よりも下方であって、固定部５２よりも上方に位置する。なお、各排出孔２０１は、周方向に隣り合う２つの延出部８２の間に位置するため、第１端子８０の延出部８２とは保持部５１の径方向に重ならない。また、各排出孔２０１は、保持部５１の径方向から見た形状が円形状をなしている。これら排出孔２０１は、保持部５１の内外を連通することにより、保持部５１とバックリテーナ４３Ａとにより構成される本体部４４Ａの内外を連通する。更に、各排出孔２０１は、アウタハウジング４１Ａが車体２１に固定されるとともに車体２１が水平に配置された状態で、第１接点部８５，９５よりも鉛直方向Ｄ１に下側となる位置に位置する。
【０１０１】
図６に示すように、バックリテーナ４３Ａは、上記第１実施形態の挿通孔７６に代えて挿通孔７６Ａを有する。挿通孔７６Ａは、上記第１実施形態の挿通孔７６と異なり、本体部４４Ａの内外を連通する排出孔を兼ねていない。挿通孔７６Ａは、バックリテーナ４３Ａにおいて、側壁部７２の周方向に並ぶ３つの固定爪７３のうち中央の固定爪７３から周方向に１８０°離れた位置であって、第１端子８０の接続部８３が保持部５１の軸方向に貫通可能な位置に位置する。そして、挿通孔７６Ａは、底部７１の外周縁寄りの一部分をバックリテーナ４３Ａの軸方向に貫通している。また、挿通孔７６Ａの内周面は、接続部８３の外形に対応した形状をなしており、接続部８３と近接もしくは当接している。
【０１０２】
本実施形態の作用について説明する。
図７に示すように、未接続状態にある第１コネクタ３１Ａに水等の液体がかかると、保持部５１の内側に当該液体が浸入することがある。本実施形態では、保持部５１の内側に浸入した液体は、第１端子８０の内側、即ち貫通路８４内で下方のバックリテーナ４３Ａの方へ流れていく。そして、当該液体は、アウタハウジング４１Ａの保持部５１とインナハウジング４２との間の空間、即ち、保持部５１の内部空間であってインナハウジング４２の外周側の空間で、本体部４４Ａの底部側（即ち保持部５１の基端側）から溜まっていく。そして、保持部５１内での液面の位置が排出孔２０１の鉛直方向Ｄ１の下端を越えると、保持部５１とインナハウジング４２との間の液体は、２つの排出孔２０１から本体部４４Ａの外部に排出される。そのため、保持部５１とインナハウジング４２との間に溜まった液体の液面が、排出孔２０１よりも上方に維持されることが抑制される。
【０１０３】
また、未接続状態にある第１コネクタ３１Ａに水等の液体がかかると、保持部６１の内側に当該液体が浸入することがある。本実施形態では、保持部６１の内側に浸入した液体は、上記第１実施形態と同様に、第１端子９０の内側、即ち貫通路９４を通って下方のバックリテーナ４３Ａの方へ流れていく。そして、当該液体は、挿通孔７７から本体部４４Ａの外部へ排出される。
【０１０４】
本実施形態によれば、上記第１実施形態の（１−５）と同様の効果に加えて、以下の効果を奏する。
（２−１）第１ハウジング４０Ａは、第１ハウジング４０Ａが固定場所（本実施形態では車体２１）に固定された状態で、第１接点部８５，９５よりも鉛直方向Ｄ１に下側となる位置に本体部４４Ａの内外を連通する排出孔２０１及び挿通孔７７を有する。そのため、第１コネクタ３１Ａに水等の液体がかかり本体部４４Ａの内側に液体が溜まったとしても、排出孔２０１及び挿通孔７７から液体が本体部４４Ａの外部に排出されることにより、第１接点部８５，９５が液体に浸った状態となることが抑制される。従って、第１接点部８５，９５が電食することを抑制することができる。
【０１０５】
（２−２）本体部４４Ａの開口部が底部よりも鉛直方向Ｄ１の上方に位置するように第１ハウジング４０Ａが固定場所に固定された場合、保持部６１の内側に浸入した水等の液体は、本体部４４Ａの底部の方へ流れる。排出孔を兼ねる挿通孔７７は、本体部４４Ａの底部に位置するため、保持部６１の内側に浸入した水等の液体を、本体部４４Ａの底部に設けられた排水孔を兼ねる挿通孔７７から本体部４４Ａの外部に更に排出しやすくなる。その結果、第１接点部９５が電食することを更に抑制しやすくなる。
【０１０６】
（２−３）本体部４４Ａの内部に浸入した水等の液体は、排出孔２０１及び挿通孔７７から本体部４４Ａの外部に排出されることが可能であるため、当該液体によって陰極の第１端子８０と陽極の第１端子９０とが導通されるほどに本体部４４Ａ内に当該液体が溜まることが抑制される。従って、陰極の第１端子８０と陽極の第１端子９０とが、当該液体によって短絡されることを抑制できる。
【０１０７】
＜第３実施形態＞
以下、コネクタを備えたコネクタ装置の第３実施形態について説明する。なお、本実施形態において、上記実施形態と同じ構成部材又は上記実施形態と対応する構成部材については、同じ符号を付してその説明の一部又は全てを省略することがある。
【０１０８】
図９に示す本実施形態のコネクタ装置３０Ｂは、車体２１に固定される第１コネクタ３１Ｂと、バッテリ２２のケース２３に固定される上記第１実施形態の第２コネクタ３２とを備えている。第１コネクタ３１Ｂが備える第１ハウジング４０Ｂは、上記第１実施形態の第１ハウジング４０に備えられるアウタハウジング４１及びバックリテーナ４３に代えて、アウタハウジング４１Ｂ及び上記第２実施形態のバックリテーナ４３Ａを備えている。
【０１０９】
図９〜図１１に示すように、アウタハウジング４１Ｂは、上記第２実施形態のアウタハウジング４１Ａと比較して、保持部５１に設けられた排出孔の位置が異なる。アウタハウジング４１Ｂの保持部５１が有する２つの排出孔２０２は、保持部５１において保持部５１の周方向に１８０°離れた位置にそれぞれ形成されるとともに、保持部５１を同保持部５１の径方向に貫通している。また、各排出孔２０２は、保持部５１における同保持部５１の軸方向の中央よりも上方、即ち保持部５１における同保持部５１の軸方向の中央よりも先端側に位置する。なお、各排出孔２０２は、周方向に隣り合う２つの延出部８２の間に位置するため、第１端子８０の延出部８２とは保持部５１の径方向に重ならない。また、各排出孔２０２は、保持部５１の径方向から見た形状が円形状をなしている。これら排出孔２０２は、保持部５１の内外を連通することにより、保持部５１とバックリテーナ４３Ａとにより構成される本体部４４Ｂの内外を連通する。更に、各排出孔２０２は、アウタハウジング４１Ｂが車体２１に固定されるとともに車体２１が水平に配置された状態で、第１接点部８５，９５よりも鉛直方向Ｄ１に下側となる位置に位置する。
【０１１０】
本実施形態の作用について説明する。
図１０に示すように、未接続状態にある第１コネクタ３１Ｂに水等の液体がかかると、保持部５１の内側に当該液体が浸入することがある。本実施形態では、保持部５１の内側に浸入した液体は、第１端子８０の内側、即ち貫通路８４内で下方のバックリテーナ４３Ａの方へ流れていく。そして、当該液体は、アウタハウジング４１Ｂの保持部５１とインナハウジング４２との間の空間、即ち、保持部５１の内部空間であってインナハウジング４２の外周側の空間で、本体部４４Ｂの底部側（即ち保持部５１の基端側）から溜まっていく。そして、保持部５１内での液面の位置が排出孔２０２の鉛直方向Ｄ１の下端を越えると、保持部５１とインナハウジング４２との間の液体は、２つの排出孔２０２から本体部４４Ｂの外部に排出される。そのため、保持部５１とインナハウジング４２との間に溜まった液体の液面が、排出孔２０２よりも上方に維持されることが抑制される。
【０１１１】
また、未接続状態にある第１コネクタ３１Ｂに水等の液体がかかると、保持部６１の内側に当該液体が浸入することがある。本実施形態では、保持部６１の内側に浸入した液体は、上記第１実施形態と同様に、第１端子９０の内側、即ち貫通路９４を通って下方のバックリテーナ４３Ａの方へ流れていく。そして、当該液体は、挿通孔７７から本体部４４の外部へ排出される。
【０１１２】
本実施形態によれば、上記第１実施形態の（１−５）及び上記第２実施形態の（２−２）と同様の効果加えて、以下の効果を奏する。
（３−１）第１ハウジング４０Ｂは、第１ハウジング４０Ｂが固定場所（本実施形態では車体２１）に固定された状態で、第１接点部８５，９５よりも鉛直方向Ｄ１に下側となる位置に本体部４４Ｂの内外を連通する排出孔２０２及び挿通孔７７を有する。そのため、第１コネクタ３１Ｂに水等の液体がかかり本体部４４Ｂの内側に液体が溜まったとしても、排出孔２０２及び挿通孔７７から液体が本体部４４Ｂの外部に排出されることにより、第１接点部８５，９５が液体に浸った状態となることが抑制される。従って、第１接点部８５，９５が電食することを抑制することができる。
【０１１３】
（３−２）本体部４４Ｂの内部に浸入した水等の液体は、排出孔２０２及び挿通孔７７から本体部４４Ｂの外部に排出されることが可能であるため、当該液体によって陰極の第１端子８０と陽極の第１端子９０とが導通されるほどに本体部４４Ｂ内に当該液体が溜まることが抑制される。従って、陰極の第１端子８０と陽極の第１端子９０とが、当該液体によって短絡されることを抑制できる。
【０１１４】
＜第４実施形態＞
以下、コネクタを備えたコネクタ装置の第４実施形態について説明する。なお、本実施形態において、上記実施形態と同じ構成部材又は上記実施形態と対応する構成部材については、同じ符号を付してその説明の一部又は全てを省略することがある。
【０１１５】
図１２に示す本実施形態のコネクタ装置３０Ｃは、車体２１に固定される第１コネクタ３１Ｃと、バッテリ２２のケース２３に固定される上記第１実施形態の第２コネクタ３２とを備えている。第１コネクタ３１Ｃが備える第１ハウジング４０Ｃは、上記第１実施形態の第１ハウジング４０に備えられるインナハウジング４２に代えて、インナハウジング４２Ｃを備えている。また、第１コネクタ３１Ｃは、上記第１実施形態の第１端子９０に代えて第１端子９０Ｃを備えている。
【０１１６】
図１２〜図１４に示すように、インナハウジング４２Ｃは、上記第１実施形態のインナハウジング４２の保持部６１に排出孔３０１を加えた構成である。本実施形態では、保持部６１は、４つの排出孔３０１を有する。４つの排出孔３０１は、保持部６１において保持部６１の周方向に等角度間隔（本実施形態では９０°間隔）となる４箇所にそれぞれ形成されるとともに、保持部６１を同保持部６１の径方向に貫通している。また、各排出孔３０１は、保持部６１における同保持部６１の軸方向の中央よりも下方であって、支持部６２よりも上方に位置する。また、各排出孔３０１は、保持部６１の径方向から見た形状が円形状をなしている。これら排出孔３０１は、保持部６１の内外を連通することにより、保持部６１の内部空間とアウタハウジング４１の内部空間（即ち、保持部５１の内部空間であってインナハウジング４２Ｃの外周側の空間）とを連通する。このため、後述の第１端子９０Ｃにおける複数の延出部９２の内側の空間は、これら排出孔３０１を介して保持部５１の内部空間に連通されるとともに、保持部５１の内部空間及び挿通孔７６を介して本体部４４の外部に連通される。
【０１１７】
インナハウジング４２Ｃの保持部６１は、内側に第１端子９０Ｃを保持している。本実施形態では、第１端子９０Ｃは陽極の雌端子である。第１端子９０Ｃは、導電性の金属材料よりなり、本実施形態では、銅または銅合金よりなる金属材料に切削加工を施して形成されている。第１端子９０Ｃは、略円柱状をなす円柱部３１１と、円柱部３１１の軸方向の一端部（図１３において上側の端部）から延出された複数の延出部９２と、円柱部３１１の軸方向の他端（図１３において下端）に一体に設けられた係止部９６Ｃと、円柱部３１１から下方に延びる接続部９３Ｃとを有する。
【０１１８】
円柱部３１１の外径は、保持部６１の内径と等しいか僅かに小さい。第１端子９０Ｃは、円柱部３１１を備えることにより中実状をなしている。
複数（本実施形態では８個）の延出部９２は、円柱部３１１から上方に延びるとともに、隣り合う延出部９２同士は円柱部３１１の周方向に離れている。各延出部９２の先端部には、第１接点部９５が設けられている。
【０１１９】
係止部９６Ｃは、円柱部３１１の下端部における外周面から径方向外側に延出されており、円環状の鍔状をなしている。係止部９６Ｃの外径は、バックリテーナ４３の挿通孔７７の内径より大きく、且つ、インナハウジング４２Ｃの離間凸部６３の内径より小さい。また、円柱部３１１の軸方向における係止部９６Ｃの厚さは、保持部６１の軸方向における離間凸部６３の幅と等しいか若干厚い。
【０１２０】
接続部９３Ｃは、円柱部３１１と同軸上に位置する円筒状をなしている。接続部９３Ｃの外径は、挿通孔７７の内径と等しいか僅かに小さい。
第１端子９０Ｃは、円柱部３１１及び延出部９２が保持部６１に内挿されて同保持部６１と同軸であるとともに、第１端子８０と同軸に配置されている。円柱部３１１は、保持部６１の内部において、保持部６１の基端部（即ち、保持部６１の軸方向の下端部）と保持部６１の径方向に重なる位置に位置する。第１端子９０Ｃは、同第１端子９０Ｃの上端面、即ち各延出部９２の先端面が、保持部６１の軸方向から（本実施形態では下方から）抜止め凸部６４に当接することにより、保持部６１に対して軸方向の一方側（本実施形態では上側）への位置決めがなされる。このように、第１端子９０Ｃは、保持部６１に内挿されることにより、保持部６１の内部に第１接点部９５が露出した状態でインナハウジング４２Ｃに保持されている。
【０１２１】
なお、複数の延出部９２は、保持部６１に設けられた排出孔３０１と保持部６１の径方向に重ならない位置に位置する。即ち、各排出孔３０１は、周方向に隣り合う２つの延出部９２の間に位置しており、第１端子９０Ｃの延出部９２とは保持部６１の径方向に重ならない。また、各排出孔３０１は、保持部６１の軸方向には、延出部９２の基端部と同じ位置に位置する。
【０１２２】
係止部９６Ｃは、離間凸部６３の内側で、保持部６１の下端面と底部７１との間に位置する。係止部９６Ｃの外周縁部は、挿通孔７７よりも外周側に位置する。係止部９６Ｃが底部７１の内側面に当接することにより、第１ハウジング４０Ｃから第１端子９０Ｃが脱落することが抑制されている。
【０１２３】
接続部９３Ｃは、バックリテーナ１０３の挿通孔７７を通って第１ハウジング４０の外部に突出しており、接続部９３Ｃの下端は、第１ハウジング４０Ｃの外部に位置する。なお、接続部９３Ｃの外径は、挿通孔７７の内径と等しいか僅かに小さい。そのため、挿通孔７７の内周面は、接続部９３Ｃの外周面に近接している。本実施形態では、挿通孔７７は、本体部４４の内外を連通する排出孔を兼ねていない。
【０１２４】
また、接続部９３Ｃの下端部には、電線９７が電気的に接続されている。電線９７における第１端子９０Ｃと接続される端部は、被覆膜８８が除去されて撚線８７が露出している。そして、電線９７の当該端部は、接続部９３Ｃに内挿されて同接続部９３の下端部にかしめられることで接続部９３Ｃの下端部に電気的に接続されている。また、接続部９３Ｃと電線９７との接続部分は、収縮チューブ９８にて被覆されている。収縮チューブ９８は、電線９７における第１端子９０Ｃ側の端部の被覆膜８８が除去された部分を完全に覆っている。
【０１２５】
第１コネクタ３１Ｃにおいては、各排出孔３０１は、第１ハウジング４０Ｃが車体２１に固定されるとともに車体２１が水平に配置された状態で、第１接点部８５，９５よりも鉛直方向Ｄ１に下側となる位置に位置する。
【０１２６】
本実施形態の作用について説明する。
図１２及び図１４に示すように、未接続状態にある第１コネクタ３１Ｃに水等の液体がかかると、保持部６１の内側に当該液体が浸入することがある。本実施形態では、保持部６１の内側に浸入した液体は、第１端子９０Ｃの複数の延出部９２の内側の空間や、保持部６１の内周面上を通って円柱部３１１の上端面の方へ流れていく。保持部６１の内部で円柱部３１１の上端面上に溜まった液体は、その液面の位置が排出孔３０１の鉛直方向Ｄ１の下端を越えると、排出孔３０１から保持部６１の外部であって保持部５１の内側の空間に排出される。保持部５１の内側の空間に排出された液体は、支持部６２の方へ流れた後に、傾斜面６５によって、外周側且つ下方、即ち挿通孔７６の方へ案内される。更に、当該液体は、保持部５１の内側であって保持部６１の外周側の空間に浸入した液体と共に、保持部５１と支持部６２との間の隙間（第１端子８０の環状部８１の内周面と支持部６２の外周面との間の隙間）を通ってバックリテーナ４３の底部７１の内側面まで流れた後、挿通孔７６から本体部４４の外部へ排出される。
【０１２７】
本実施形態によれば、上記第１実施形態の（１−２）と同様の効果に加えて、以下の効果を奏する。
（４−１）第１ハウジング４０Ｃは、第１ハウジング４０Ｃが固定場所（本実施形態では車体２１）に固定された状態で、第１接点部８５よりも鉛直方向Ｄ１に下側となる位置に、本体部４４の内外を連通する排出孔を兼ねる挿通孔７６を有する。そのため、第１コネクタ３１Ｃに水等の液体がかかり保持部５１の内側に液体が溜まったとしても、挿通孔７６から当該液体が本体部４４の外部に排出されることにより、第１接点部８５が液体に浸った状態となることが抑制される。従って、第１接点部８５が電食することを抑制することができる。
【０１２８】
（４−２）保持部６１には、保持部６１の内外を連通する排出孔３０１が設けられている。そのため、保持部６１に内挿された第１端子９０Ｃが中実状のものであっても、保持部６１の内側に浸入した液体を排出孔３０１から保持部６１の外部に排出することができる。また、排出孔３０１は、第１ハウジング４０Ｃが固定場所に固定された状態で、第１接点部９５よりも鉛直方向Ｄ１に下側となる位置に位置する。従って、第１接点部９５が液体に浸った状態となることが抑制されるため、第１接点部９５が電食することを抑制することができる。
【０１２９】
（４−３）本体部４４の開口部が底部よりも上方に位置するように第１ハウジング４０Ｃが固定場所に固定された場合、保持部６１の内部に浸入した水等の液体は、排出孔３０１から保持部６１の外部に排出された後、本体部４４の底部の方へ流れる。排出孔を兼ねる挿通孔７６は、本体部４４の底部に位置するため、保持部６１の内側に浸入した水等の液体を、本体部４４の底部に設けられた排水孔を兼ねる挿通孔７６から本体部４４の外部に更に排出しやすくなる。その結果、第１接点部９５が電食することを更に抑制しやすくなる。
【０１３０】
（４−４）本体部４４は、本体部４４の内外を連通し第１端子８０の接続部８３が挿通される挿通孔７６を有する。挿通孔７６の内周面は、挿通孔７６の内側に位置する第１端子８０の接続部８３との間に隙間を有する。挿通孔７６は、第１ハウジング４０Ｃが固定場所に固定された状態で、第１接点部８５，９５よりも鉛直方向Ｄ１に下側となる位置に位置し本体部４４の内外を連通する排出孔を兼ねている。このように、挿通孔７６が排出孔を兼ねるため、専用の排出孔を別途設けなくてもよい。従って、第１ハウジング４０Ｃの形状が複雑化されることを抑制できる。その結果、第１ハウジング４０Ｃの製造が煩雑になることを抑制できる。
【０１３１】
（４−５）第１端子８０は、第１端子８０と第２端子１５０との接続方向Ｄ２に貫通する貫通路８４を有する中空状のものである。第１端子８０に水等の液体がかかった場合、当該液体は貫通路８４を通って第１端子８０の外部に排出されるため、第１端子８０の内側に水等の液体が溜まることが抑制される。従って、簡単な構成で第１端子８０の内側に水等の液体が溜まることを抑制できる。その結果、第１端子８０が電食することを容易に抑制できる。
【０１３２】
（４−６）本体部４４の内部に浸入した水等の液体は、挿通孔７６から本体部４４の外部に排出されることが可能であるため、当該液体によって陰極の第１端子８０と陽極の第１端子９０Ｃとが導通されるほどに本体部４４内に当該液体が溜まることが抑制される。従って、陰極の第１端子８０と陽極の第１端子９０Ｃとが、当該液体によって短絡されることを抑制できる。
【０１３３】
上記各実施形態は、以下のように変更して実施することができる。上記各実施形態及び以下の変更例は、技術的に矛盾しない範囲で互いに組み合わせて実施することができる。
・上記第１実施形態では、挿通孔７６，７７は、バックリテーナ４３に設けられるとともに、第１端子８０，９０の接続部８３，９３は、保持部５１，６１の軸方向にバックリテーナ４３から第１ハウジング４０の外部に突出している。即ち、接続部８３，９３は、本体部４４の底部から同本体部４４の外部に突出している。しかしながら、第１ハウジング４０において、挿通孔７６，７７が設けられる位置、即ち接続部８３，９３が本体部４４の外部に突出する位置はこれに限らない。例えば、挿通孔７６，７７は、アウタハウジング４１の保持部５１に設けられるとともに、接続部８３，９３は、当該挿通孔７６，７７から保持部５１，６１の径方向に第１ハウジング４０の外部に突出してもよい。第２〜第４実施形態においても同様である。
【０１３４】
・上記第１実施形態では、挿通孔７６の内部には、第１端子８０の接続部８３の一部が位置している。しかしながら、挿通孔７６の内部には、接続部８３の一部に限らず、電線８６の一部、もしくは接続部８３及び電線８６の両方の一部が位置していてもよい。また、接続部８３の一部、電線８６の一部、並びに、接続部８３及び電線８６の両方の一部の何れかと共に、収縮チューブ８９の一部が挿通孔７６の内部に位置していてもよい。挿通孔７７についても同様に、挿通孔７７の内部には、接続部９３の一部に限らず、電線９７の一部、もしくは接続部９３及び電線９７の両方の一部が位置していてもよい。また、接続部９３の一部、電線９７の一部、並びに、接続部９３及び電線９７の両方の一部の何れかと共に、収縮チューブ９８の一部が挿通孔７７の内部に位置していてもよい。上記第２〜第４実施形態においても同様である。
【０１３５】
・上記第２実施形態の第１コネクタ３１Ａにおいて、挿通孔７７が排出孔を兼ねない構成、即ち、挿通孔７７から本体部４４Ａの外部に液体が排出されない構成としてもよい。この場合、バックリテーナ４３Ａの底部７１とインナハウジング４２の下端面との間に、第１端子９０の内側（貫通路９４）を通って保持部６１の下端から排出された水等の液体が、アウタハウジング４１Ａの保持部５１とインナハウジング４２との間の空間まで流れることのできる通路を設ける。このようにしても、本体部４４Ａの内側に浸入した液体は、排出孔２０１から本体部４４Ａの外部に排出されるため、第１接点部８５，９５が液体に浸った状態となることが抑制される。よって、第１接点部８５，９５が電食することを抑制することができる。上記第３実施形態においても同様にしてもよい。
【０１３６】
・上記第４実施形態の第１コネクタ３１Ｃにおいて、アウタハウジング４１の保持部５１に、上記第２実施形態の排出孔２０１もしくは上記第３実施形態の排出孔２０２を設けてもよい。この場合、挿通孔７６は、排出孔を兼ねなくてもよい。
【０１３７】
・上記第１実施形態の第１コネクタ３１において、バックリテーナ４３の底部７１（即ち本体部４４の底部）に、本体部４４の内外を連通する排出孔を挿通孔７６，７７とは別に設けてもよい。この場合、挿通孔７６，７７は、排出孔を必ずしも兼ねなくてもよい。上記第４実施形態においても同様である。
【０１３８】
・上記第１実施形態では、第１端子８０の接続部８３と電線８６との接続部分が収縮チューブ８９にて覆われることにより、当該収縮チューブ８９によって電線８６における接続部８３に接続される端部から電線８６の内部（即ち、被覆膜８８の内部）に水等の液体が浸入することが抑制されている。しかしながら、電線８６における接続部８３に接続される端部から電線８６の内部に液体が浸入することを抑制する防水部材の構成は、これに限らない。例えば、接続部８３と電線８６との接続部分を、シリコン樹脂等の絶縁性の樹脂材料よりなる防水部材にて被覆してもよい。この場合の防水部材は、溶融した絶縁性の樹脂材料に接続部８３と電線８６との接続部分を埋設し、当該樹脂材料を固化することにより形成されるものである。なお、第１端子９０の接続部９３と電線９７との接続部分においても同様である。また、第２〜第４実施形態においても同様である。
【０１３９】
・上記第１実施形態では、電線８６は、当該電線８６における第１端子８０と接続される端部が接続部８３の下端部にかしめられることで接続部８３の下端部に電気的に接続されている。しかしながら、電線８６は、超音波接合により接続部８３に電気的に接続されてもよい。第１端子９０の接続部９３と電線９７との電気的な接続、電線１５６とバスバー１５５との電気的な接続、並びに、電線１６７とバスバー１６６との電気的な接続についても同様である。また、第２〜第４実施形態においても同様である。
【０１４０】
・上記第１実施形態の第１ハウジング４０は、インナハウジング４２の支持部６２の上面全体に亘って設けられて円環状をなすとともに鉛直方向Ｄ１と直交する仮想平面Ｓ１に対して傾斜した傾斜面６５を有する。第１ハウジング４０において傾斜面６５が設けられる場所及び傾斜面６５の形状は、これに限らない。傾斜面６５は、第１ハウジング４０が車体２１に固定されるとともに車体２１が水平に配置された状態で、第１ハウジング４０において本体部４４の内外を連通する排出孔（第１実施形態では挿通孔７６，７７）よりも鉛直方向Ｄ１の上側に位置し、排出孔の方へ液体を案内することが可能なものであればよい。ここで、「排出孔の方へ液体を案内する」とは、本体部４４の内部で本体部４４に浸入した液体が排出孔へ至り易くなるように当該液体を導くことを意味する。
【０１４１】
例えば、傾斜面６５は、排出孔の方へ液体を案内可能に支持部６２の上面に部分的に設けられたものでもよい。また例えば、傾斜面６５は、保持部６１の外周面や、バックリテーナ４３の底部７１の内側面等に設けられてもよい。また、接続方向Ｄ２が鉛直方向Ｄ１に対して傾斜するように第１ハウジング４０が車体２１に固定されることにより、車体２１が水平に配置された状態で、本体部４４の内面において、排出孔よりも鉛直方向Ｄ１の上側に位置し、且つ排出孔の方へ液体を案内するように傾斜した部分を傾斜面とすることもできる。これらは、上記第４実施形態においても同様である。なお、上記第１実施形態の第１ハウジング４０及び上記第４実施形態の第１ハウジング４０Ｃは、必ずしも傾斜面６５を備えなくてもよい。
【０１４２】
また、上記第２実施形態の第１ハウジング４０Ａに、第１ハウジング４０Ａが車体２１に固定されるとともに車体２１が水平に配置された状態で排出孔２０１よりも鉛直方向Ｄ１の上側に位置し排出孔２０１の方へ液体を案内可能な傾斜面を設けてもよい。同様に、上記第３実施形態の第１ハウジング４０Ｃに、第１ハウジング４０Ｃが車体２１に固定されるとともに車体２１が水平に配置された状態で排出孔２０２よりも鉛直方向Ｄ１の上側に位置し排出孔２０２の方へ液体を案内可能な傾斜面を設けてもよい。
【０１４３】
・上記第２実施形態において、第１ハウジング４０Ａにおける排出孔２０１の鉛直方向Ｄ１の位置は変更してもよい。但し、排出孔２０１は、第１ハウジング４０Ａが車体２１に固定されるとともに車体２１が水平に配置された状態で、第１接点部８５，９５よりも鉛直方向Ｄ１に下側となる位置に位置する。なお、複数の第１接点部８５，９５は、第１ハウジング４０Ａの車体２１に対する固定姿勢によっては、また、第１端子８０，９０の構成や第１ハウジング４０Ａの構成によっては、車体２１が水平に配置された状態において鉛直方向Ｄ１の位置が互いにずれることがある。この場合、排出孔２０１は、第１ハウジング４０Ａが車体２１に固定されるとともに車体２１が水平に配置された状態で、全ての第１接点部８５，９５よりも鉛直方向Ｄ１の下側となる位置に位置することが好ましい。しかしながら、排出孔２０１は、排出孔２０１の鉛直方向Ｄ１の位置が少なくとも１つの第１接点部よりも下側となるのであれば、排出孔２０１よりも鉛直方向Ｄ１の上側に位置する当該少なくとも１つの第１接点部が電食することを抑制できる。また、第１ハウジング４０Ａが有する排出孔２０１の数は、２つに限らず、１つもしくは３つ以上であってもよい。また、排出孔２０１の形状も適宜変更してよい。上記第３実施形態の第１ハウジング４０Ｂにおける排出孔２０２の鉛直方向Ｄ１の位置、数及び形状についても同様である。
【０１４４】
・上記第１実施形態では、第１端子８０，９０及び第２端子１５０，１６０は、何れも銅または銅合金よりなるが、銅及び銅合金以外の導電性の金属材料よりなるものであってもよい。例えば、第１端子８０，９０及び第２端子１５０，１６０は、アルミニウムまたはアルミニウム合金よりなるものであってもよい。上記第２〜第４実施形態においても同様である。
【０１４５】
・上記第１実施形態では、第１コネクタ３１において、第１端子８０は、保持部５１に内挿されることによりアウタハウジング４１に保持されている。また、第１端子９０は、保持部６１に内挿されることによりインナハウジング４２に保持されている。しかしながら、第１端子８０は、アウタハウジング４１にインサート成形されることにより同アウタハウジング４１に保持されてもよい。また、第１端子９０は、インナハウジング４２にインサート成形されることにより同インナハウジング４２に保持されてもよい。また、第１端子８０及び第１端子９０の少なくとも一方は、その一部がバックリテーナ４３にインサート成形されてもよい。
【０１４６】
同様に、第２コネクタ３２において、第２端子１５０は、アウタハウジング１０１にインサート成形されることにより同アウタハウジング１０１に保持されてもよい。また、第２コネクタ３２において、第２端子１６０は、インナハウジング１０２にインサート成形されることにより同インナハウジング１０２に保持されてもよい。また、第２コネクタ３２において、第２端子１５０，１６０の両方がインナハウジング１０２にインサート成形されることにより、第２端子１５０，１６０の両方が同インナハウジング１０２に保持されてもよい。また、第２端子１５０及び第２端子１６０の少なくとも一方は、その一部がバックリテーナ１０３にインサート成形されてもよい。
【０１４７】
上記第２〜第４実施形態においても同様である。
・上記第１実施形態では、第１ハウジング４０は、アウタハウジング４１と、インナハウジング４２と、バックリテーナ４３とから構成されている。しかしながら、第１ハウジング４０の構成はこれに限らない。例えば、第１ハウジング４０は、アウタハウジング４１、インナハウジング４２、及びバックリテーナ４３のうち少なくとも２つが一体に形成されていてもよい。この場合、第１端子８０，９０は、第１ハウジング４０の構成部品にインサート成形されてもよいし、別体で形成されて組み付けられてもよい。また、アウタハウジング４１、インナハウジング４２、及びバックリテーナ４３の少なくとも１つは、２つ以上の部品を組み付けて構成されたものであってもよい。これらは、上記第１実施形態の第２ハウジング１００についても同様である。また、上記第２〜第４実施形態においても同様である。
【０１４８】
・上記第１実施形態のコネクタ装置３０において、第１ハウジング４０及び第２ハウジング１００の形状は適宜変更してもよい。例えば、第１ハウジング４０において、アウタハウジング４１の保持部５１及びインナハウジング４２の保持部６１を、楕円筒状、多角筒状等に変更してもよい。上記第２〜第４実施形態においても同様である。
【０１４９】
・上記第１実施形態では、第１コネクタ３１が有する第１端子８０，９０は雌端子であり、第２コネクタ３２が有する第２端子１５０，１６０は雄端子である。しかしながら、第１コネクタ３１が有する第１端子８０，９０を雄端子とし、第２コネクタ３２が有する第２端子１５０，１６０を雌端子としてもよい。上記第２〜第４実施形態においても同様である。
【０１５０】
・上記第１実施形態では、第１コネクタ３１において、外周側に位置する第１端子８０は陰極の端子であり、内周側に位置する第１端子９０は陽極の端子である。しかしながら、外周側に位置する第１端子８０を陽極の端子とするとともに、内周側に位置する第１端子９０を陰極の端子としてもよい。この場合、第２コネクタ３２において、外周側に位置する第２端子１５０を陽極の端子とするとともに、内周側に位置する第２端子１６０を陰極の端子とする。上記第２〜第４実施形態においても同様である。
【０１５１】
・上記第１実施形態において、第１端子８０，９０の形状及び構成は適宜変更してもよい。この場合、第２端子１５０，１６０は、アウタハウジング４１の保持部５１の軸方向に沿って移動されることにより第１端子８０，９０に対して着脱可能に電気的に接続されるように構成されればよい。
【０１５２】
例えば、第１端子８０の延出部８２の数を変更することにより、第１接点部８５の数を変更してもよい。同様に、第１端子９０の延出部９２の数を変更することにより、第１接点部９５の数を変更してもよい。
【０１５３】
また例えば、雌端子である第１端子８０，９０を、導電性材料よりなり筒状をなす接点収容部と、この接点収容部の内部に収容され同接点収容部と電気的に接続された接点部材とから構成される端子としてもよい。例えば第１端子８０を当該端子に変更する場合には、アウタハウジング４１の保持部５１に接点収容部を嵌入するとともに、同接点収容部に電線８６を電気的に接続する。そして、この接点収容部の内部に収容される接点部材は、例えば、複数の板ばねが周方向に配置された形状をなすもの、即ちルーバ状に並んだ複数の板ばねを有するものが用いられる。この接点部材は、接点収容部の内周面に当接することにより同接点収容部と電気的に接続されている。この場合、保持部５１の軸方向に沿って第１端子８０に第２端子１５０が挿入されると、第２端子１５０の端子本体１５１は、接点部材の内側に挿入される。そして、接点部材の複数の板ばねが端子本体１５１の外周面を径方向内側に向けて押圧しつつ同外周面に接触することにより、第１端子８０と第２端子１５０とは電気的に接続される。このようにすると、接点部材の各板ばねが第１接点部を有することになるため、第１端子８０は、周方向に多数の第１接点部を有することになる。そのため、第１端子８０と第２端子１５０との接触抵抗を減少できるとともに、例えば１００Ａ以上といった大電流がコネクタ装置３０に通された場合であっても、第１接点部が異常に発熱することが抑制される。
【０１５４】
また、接点収容部の内部に収容される接点部材としては、例えば斜めコイルスプリングを用いることもできる。この接点部材は、接点収容部の内周面に当接することにより同接点収容部と電気的に接続されている。この場合、保持部５１の軸方向に沿って第１端子８０に第２端子１５０が挿入されると、第２端子１５０の端子本体１５１は、接点部材の内側に挿入される。そして、接点部材が端子本体１５１の外周面を径方向内側に向けて押圧しつつ同外周面に接触することにより、第１端子８０と第２端子１５０とは電気的に接続される。このようにしても、上記したルーバ状に並んだ複数の板ばねを有する接点部材を用いた場合と同様の効果を得ることができる。
【０１５５】
これらは、上記第２〜第４実施形態においても同様である。
・上記第１実施形態では、第１コネクタ３１は、第１端子８０と第１端子９０との２つの第１端子を有する。しかしながら、第１コネクタ３１は、第１端子を少なくとも１つ備えていればよい。そして、第２コネクタ３２に備えられる第２端子の数は、第１コネクタ３１に供えられる第１端子の数に応じて変更される。上記第２〜第４実施形態においても同様である。
【０１５６】
・上記第１実施形態では、第１コネクタ３１は、車体２１が水平に配置された場合に、保持部５１，６１の軸方向と鉛直方向Ｄ１とが一致するように同車体２１に固定されている。しかしながら、第１コネクタ３１の車体２１に対する固定姿勢はこれに限らない。第１コネクタ３１は、車体２１が水平に配置された場合に本体部４４の開口部が底部よりも鉛直方向Ｄ１の上側に位置するのであれば、保持部５１，６１の軸方向（本体部４４の軸方向に同じ）が鉛直方向Ｄ１に対して傾斜するように同車体２１に固定されてもよい。上記第２〜第４実施形態においても同様である。
【０１５７】
・上記第１実施形態では、第１コネクタ３１は、車体２１に固定されている。しかしながら、第１コネクタ３１は、車体２１に直接固定される以外に、車体２１に固定もしくは搭載されたインバータ等の機器に固定されることにより、当該機器を介して車体２１に間接的に固定されてもよい。この場合、当該機器が「固定場所」に該当する。上記第２〜第４実施形態においても同様である。
【０１５８】
・上記各実施形態では、コネクタ装置３０，３０Ａ，３０Ｂ，３０Ｃは、電動バイク、電気自転車等の電動車両の車体２１側とバッテリ２２とを電気的に接続するために用いられている。しかしながら、コネクタ装置３０，３０Ａ，３０Ｂ，３０Ｃの用途はこれに限らず、一方の電線と他方の電線の接続及び接続解除を繰り返すことがある場合に、当該一方の電線と他方の電線との間に使用されてもよい。例えば、電動の三輪車や四輪車の車体側とバッテリとを電気的に接続するために用いられてもよい。
【符号の説明】
【０１５９】
３０，３０Ａ，３０Ｂ，３０Ｃ…コネクタ装置
２１…固定場所としての車体
３１，３１Ａ，３１Ｂ，３１Ｃ…コネクタとしての第１コネクタ
３２…第２コネクタ
４０，４０Ａ，４０Ｂ，４０Ｃ…ハウジングとしての第１ハウジング
４４，４４Ａ，４４Ｂ…本体部
６５…傾斜面
７６，７７…排出孔を兼ねる挿通孔
８０，９０，９０Ｃ…端子としての第１端子
８４，９４…貫通路
８５，９５…接点部としての第１接点部
８６，９７…電線
１００…第２ハウジング
１５０，１６０…相手側端子としての第２端子
２０１，２０２…排出孔
Ｄ１…鉛直方向
Ｄ２…接続方向
Ｓ１…仮想平面
【図１】
2020135939.tif 000003
【図２】
2020135939.tif 000004
【図３】
2020135939.tif 000005
【図４】
2020135939.tif 000006
【図５】
2020135939.tif 000007
【図６】
2020135939.tif 000008
【図７】
2020135939.tif 000009
【図８】
2020135939.tif 000010
【図９】
2020135939.tif 000011
【図１０】
2020135939.tif 000012
【図１１】
2020135939.tif 000013
【図１２】
2020135939.tif 000014
【図１３】
2020135939.tif 000015
【図１４】
2020135939.tif 000016